(57)【要約】  本願の実施例は信号伝送方法、端末装置及びネットワーク装置を開示し、該方法は、端末装置が目標アップリンク信号に対応するサウンディング基準信号（ＳＲＳ）リソース指示情報を決定することと、該端末装置が該ＳＲＳリソース指示情報に基づき、該目標アップリンク信号の第１電力制御パラメータを決定することと、該端末装置が該第１電力制御パラメータに基づき、該目標アップリンク信号の送信電力を決定することと、該端末装置が該送信電力に基づき、ネットワーク装置へ該目標アップリンク信号を送信することと、を含む。本願の実施例の方法、端末装置及びネットワーク装置は電力制御精度の向上に役立ち、それによりシステムの伝送性能を向上させることができる。
2020529143.tif 000002
【特許請求の範囲】
【請求項１】
信号伝送方法であって、
端末装置が、目標アップリンク信号に対応するサウンディング基準信号（ＳＲＳ）リソース指示情報を決定することと、
前記端末装置が、前記ＳＲＳリソース指示情報に基づき、前記目標アップリンク信号の第１電力制御パラメータを決定することと、
前記端末装置が、前記第１電力制御パラメータに基づき、前記目標アップリンク信号の送信電力を決定することと、
前記端末装置が前記送信電力に基づき、ネットワーク装置へ前記目標アップリンク信号を送信することと、を含むことを特徴とする信号伝送方法。
【請求項２】
前記目標アップリンク信号は物理アップリンク共有チャネル（ＰＵＳＣＨ）、物理アップリンク制御チャネル（ＰＵＣＣＨ）、物理ランダムアクセスチャネル（ＰＲＡＣＨ）、位相追跡基準信号（ＰＴＲＳ）又はサウンディング基準信号（ＳＲＳ）であることを特徴とする請求項１に記載の方法。
【請求項３】
前記方法は、更に、
前記端末装置が前記ネットワーク装置から送信された、前記ＳＲＳリソース指示情報を含む第１情報を受信することを含み、
前記端末装置が目標アップリンク信号に対応するサウンディング基準信号（ＳＲＳ）リソース指示情報を決定することは、
前記端末装置が前記第１情報から前記ＳＲＳリソース指示情報を決定することを含むことを特徴とする請求項１又は２に記載の方法。
【請求項４】
前記目標アップリンク信号が物理アップリンク共有チャネル（ＰＵＳＣＨ）である場合、前記第１情報は前記ＰＵＳＣＨをスケジューリングするためのダウンリンク制御情報（ＤＣＩ）であり、又は
前記目標アップリンク信号が物理ランダムアクセスチャネル（ＰＲＡＣＨ）である場合、前記第１情報はシステム情報又は上位レイヤシグナリングであり、又は
前記目標アップリンク信号がサウンディング基準信号（ＳＲＳ）である場合、前記第１情報は上位レイヤシグナリング又はダウンリンク制御情報（ＤＣＩ）であることを特徴とする請求項３に記載の方法。
【請求項５】
前記目標アップリンク信号が物理アップリンク制御チャネル（ＰＵＣＣＨ）である場合、前記第１情報は前記ＰＵＣＣＨリソースを示すための上位レイヤシグナリングであり、又は
前記目標アップリンク信号が物理アップリンク制御チャネル（ＰＵＣＣＨ）である場合、前記第１情報は前記端末装置の直近に受信した物理アップリンク共有チャネル（ＰＵＳＣＨ）をスケジューリングするためのダウンリンク制御情報（ＤＣＩ）であり、又は
前記目標アップリンク信号が物理アップリンク制御チャネル（ＰＵＣＣＨ）である場合、前記第１情報は、前記ＰＵＣＣＨの閉ループ電力調整値を示すための伝送電力制御（ＴＰＣ）命令を含むダウンリンク制御情報（ＤＣＩ）であり、又は
前記目標アップリンク信号が物理アップリンク制御チャネル（ＰＵＣＣＨ）である場合、前記第１情報は無線リソース制御（ＲＲＣ）シグナリング又は媒体アクセス制御（ＭＡＣ）シグナリングであることを特徴とする請求項３に記載の方法。
【請求項６】
前記目標アップリンク信号が物理アップリンク制御チャネル（ＰＵＣＣＨ）である場合、前記端末装置が目標アップリンク信号に対応するサウンディング基準信号（ＳＲＳ）リソース指示情報を決定することは、
前記端末装置が前記ＰＵＣＣＨのフォーマットに基づき、前記ＰＵＣＣＨのフォーマットに対応するＳＲＳリソース指示情報を決定することを含むことを特徴とする請求項１又は２に記載の方法。
【請求項７】
前記目標アップリンク信号が位相追跡基準信号（ＰＴＲＳ）である場合、前記端末装置が目標アップリンク信号に対応するサウンディング基準信号（ＳＲＳ）リソース指示情報を決定することは、
前記端末装置が第１ＰＵＳＣＨに対応するＳＲＳリソース指示情報を前記ＰＴＲＳに対応するＳＲＳリソース指示情報として決定し、前記第１ＰＵＳＣＨを復調するための復調基準信号（ＤＭＲＳ）と前記ＰＴＲＳとが関連関係を有することを含むことを特徴とする請求項１又は２に記載の方法。
【請求項８】
前記端末装置が前記ＳＲＳリソース指示情報に基づき、前記目標アップリンク信号の第１電力制御パラメータを決定することは、
前記端末装置が前記ＳＲＳリソース指示情報の示すＳＲＳリソースに対応する電力制御パラメータを前記目標アップリンク信号の第１電力制御パラメータとして決定することを含むことを特徴とする請求項１〜７のいずれか１項に記載の方法。
【請求項９】
前記第１電力制御パラメータは、前記送信電力を計算するための経路損失値、前記送信電力を計算するための経路損失値を測定するためのダウンリンク信号の情報、開ループ電力制御パラメータ及び閉ループ電力制御パラメータのうちの少なくとも１つを含むことを特徴とする請求項１〜８のいずれか１項に記載の方法。
【請求項１０】
前記端末装置が目標アップリンク信号に対応するサウンディング基準信号（ＳＲＳ）リソース指示情報を決定する前に、前記方法は、更に、
前記端末装置が前記ネットワーク装置から送信された、少なくとも１つのＳＲＳリソースと少なくとも１つの電力制御パラメータとの対応関係を示すための設定情報を受信し、前記少なくとも１つのＳＲＳリソースは前記ＳＲＳリソース指示情報の示すＳＲＳリソースを含むことを含むことを特徴とする請求項１〜９のいずれか１項に記載の方法。
【請求項１１】
前記端末装置が目標アップリンク信号に対応するサウンディング基準信号（ＳＲＳ）リソース指示情報を決定する前に、前記方法は、更に、
前記端末装置が前記ネットワーク装置に予め設定された電力制御パラメータを用いて、前記目標アップリンク信号の送信電力を決定することを含むことを特徴とする請求項１〜１０のいずれか１項に記載の方法。
【請求項１２】
前記端末装置が前記ＳＲＳリソース指示情報に基づき、前記目標アップリンク信号の第１電力制御パラメータを決定することは、
前記端末装置が前記ＳＲＳリソース指示情報及び前記目標アップリンク信号の用いたアップリンクマルチアクセス方式に基づき、前記目標アップリンク信号の第１電力制御パラメータを決定することを含むことを特徴とする請求項１〜１１のいずれか１項に記載の方法。
【請求項１３】
前記端末装置が前記ＳＲＳリソース指示情報及び前記目標アップリンク信号の用いたアップリンクマルチアクセス方式に基づき、前記目標アップリンク信号の第１電力制御パラメータを決定することは、
前記端末装置が前記ＳＲＳリソース指示情報の示すＳＲＳリソースに対応する電力制御パラメータ、及び前記目標アップリンク信号の用いたアップリンクマルチアクセス方式に基づき、前記目標アップリンク信号の第１電力制御パラメータを決定することを含むことを特徴とする請求項１２に記載の方法。
【請求項１４】
前記目標アップリンク信号の用いたアップリンクマルチアクセス方式は離散フーリエ変換拡張直交周波数分割多重（ＤＦＴ−Ｓ−ＯＦＤＭ）、又はサイクリックプレフィックス直交周波数分割多重（ＣＰ−ＯＦＤＭ）であることを特徴とする請求項１２又は１３に記載の方法。
【請求項１５】
前記端末装置が前記第１電力制御パラメータに基づき、前記目標アップリンク信号の送信電力を決定することは、
前記端末装置が、前記第１電力制御パラメータ及び前記ネットワーク装置が前記目標アップリンク信号に予め設定した第２電力制御パラメータに基づき、前記目標アップリンク信号の送信電力を決定することを含むことを特徴とする請求項１〜１４のいずれか１項に記載の方法。
【請求項１６】
信号伝送方法であって、
ネットワーク装置が、端末装置に目標アップリンク信号に対応するＳＲＳリソース指示情報を送信し、前記ＳＲＳリソース指示情報は前記端末装置が前記目標アップリンク信号の第１電力制御パラメータを決定することに用いられることと、
前記ネットワーク装置が、前記端末装置が前記第１電力制御パラメータに基づいて送信した前記目標アップリンク信号を受信することと、を含むことを特徴とする信号伝送方法。
【請求項１７】
前記目標アップリンク信号は物理アップリンク共有チャネル（ＰＵＳＣＨ）、物理アップリンク制御チャネル（ＰＵＣＣＨ）、物理ランダムアクセスチャネル（ＰＲＡＣＨ）、位相追跡基準信号（ＰＴＲＳ）又はサウンディング基準信号（ＳＲＳ）であることを特徴とする請求項１６に記載の方法。
【請求項１８】
前記目標アップリンク信号が物理アップリンク共有チャネル（ＰＵＳＣＨ）である場合、前記ＳＲＳリソース指示情報は前記ＰＵＳＣＨをスケジューリングするためのダウンリンク制御情報（ＤＣＩ）に含まれ、又は
前記目標アップリンク信号が物理ランダムアクセスチャネル（ＰＲＡＣＨ）である場合、前記ＳＲＳリソース指示情報はシステム情報又は上位レイヤシグナリングに含まれ、又は
前記目標アップリンク信号がサウンディング基準信号（ＳＲＳ）である場合、前記ＳＲＳリソース指示情報は上位レイヤシグナリング又はダウンリンク制御情報（ＤＣＩ）に含まれることを特徴とする請求項１６又は１７に記載の方法。
【請求項１９】
前記目標アップリンク信号が物理アップリンク制御チャネル（ＰＵＣＣＨ）である場合、前記ＳＲＳリソース指示情報は前記ＰＵＣＣＨリソースを示すための上位レイヤシグナリングに含まれ、又は
前記目標アップリンク信号が物理アップリンク制御チャネル（ＰＵＣＣＨ）である場合、前記ＳＲＳリソース指示情報は前記端末装置の直近に受信した物理アップリンク共有チャネル（ＰＵＳＣＨ）をスケジューリングするためのダウンリンク制御情報（ＤＣＩ）に含まれ、又は
前記目標アップリンク信号が物理アップリンク制御チャネル（ＰＵＣＣＨ）である場合、前記ＳＲＳリソース指示情報は、前記ＰＵＣＣＨの閉ループ電力調整値を示すための伝送電力制御（ＴＰＣ）命令を含むダウンリンク制御情報（ＤＣＩ）に含まれ、又は
前記目標アップリンク信号が物理アップリンク制御チャネル（ＰＵＣＣＨ）である場合、前記ＳＲＳリソース指示情報は無線リソース制御（ＲＲＣ）シグナリング又は媒体アクセス制御（ＭＡＣ）シグナリングに含まれることを特徴とする請求項１６又は１７に記載の方法。
【請求項２０】
前記第１電力制御パラメータは前記送信電力を計算するための経路損失値、前記送信電力を計算するための経路損失値を測定するためのダウンリンク信号の情報、開ループ電力制御パラメータ及び閉ループ電力制御パラメータのうちの少なくとも１つを含むことを特徴とする請求項１６〜１９のいずれか１項に記載の方法。
【請求項２１】
前記方法は、更に、
前記ネットワーク装置が少なくとも１つのサウンディング基準信号（ＳＲＳ）リソースと少なくとも１つの電力制御パラメータとの対応関係を示すための設定情報を前記端末装置に送信し、前記少なくとも１つのＳＲＳリソースは前記ＳＲＳリソース指示情報の示すＳＲＳリソースを含むことを含むことを特徴とする請求項１６〜２０のいずれか１項に記載の方法。
【請求項２２】
端末装置であって、
目標アップリンク信号に対応するサウンディング基準信号（ＳＲＳ）リソース指示情報を決定するための第１決定ユニットと、
前記ＳＲＳリソース指示情報に基づき、前記目標アップリンク信号の第１電力制御パラメータを決定するための第２決定ユニットと、
前記第１電力制御パラメータに基づき、前記目標アップリンク信号の送信電力を決定するための第３決定ユニットと、
前記送信電力に基づき、ネットワーク装置へ前記目標アップリンク信号を送信するための送信ユニットと、を備えることを特徴とする端末装置。
【請求項２３】
前記目標アップリンク信号は物理アップリンク共有チャネル（ＰＵＳＣＨ）、物理アップリンク制御チャネル（ＰＵＣＣＨ）、物理ランダムアクセスチャネル（ＰＲＡＣＨ）、位相追跡基準信号（ＰＴＲＳ）又はサウンディング基準信号（ＳＲＳ）であることを特徴とする請求項２２に記載の端末装置。
【請求項２４】
前記端末装置は、更に、
前記ネットワーク装置から送信された、前記ＳＲＳリソース指示情報を含む第１情報を受信するための第１受信ユニットを備え、
前記第１決定ユニットは、具体的に、
前記第１情報から前記ＳＲＳリソース指示情報を決定することに用いられることを特徴とする請求項２２又は２３に記載の端末装置。
【請求項２５】
前記目標アップリンク信号が物理アップリンク共有チャネル（ＰＵＳＣＨ）である場合、前記第１情報は前記ＰＵＳＣＨをスケジューリングするためのダウンリンク制御情報（ＤＣＩ）であり、又は
前記目標アップリンク信号が物理ランダムアクセスチャネル（ＰＲＡＣＨ）である場合、前記第１情報はシステム情報又は上位レイヤシグナリングであり、又は
前記目標アップリンク信号がサウンディング基準信号（ＳＲＳ）である場合、前記第１情報は上位レイヤシグナリング又はダウンリンク制御情報（ＤＣＩ）であることを特徴とする請求項２４に記載の端末装置。
【請求項２６】
前記目標アップリンク信号が物理アップリンク制御チャネル（ＰＵＣＣＨ）である場合、前記第１情報は前記ＰＵＣＣＨリソースを示すための上位レイヤシグナリングであり、又は
前記目標アップリンク信号が物理アップリンク制御チャネル（ＰＵＣＣＨ）である場合、前記第１情報は前記端末装置の直近に受信した物理アップリンク共有チャネル（ＰＵＳＣＨ）をスケジューリングするためのダウンリンク制御情報（ＤＣＩ）であり、又は
前記目標アップリンク信号が物理アップリンク制御チャネル（ＰＵＣＣＨ）である場合、前記第１情報は前記ＰＵＣＣＨの閉ループ電力調整値を示すための伝送電力制御（ＴＰＣ）命令を含むダウンリンク制御情報（ＤＣＩ）であり、又は
前記目標アップリンク信号が物理アップリンク制御チャネル（ＰＵＣＣＨ）である場合、前記第１情報は無線リソース制御（ＲＲＣ）シグナリング又は媒体アクセス制御（ＭＡＣ）シグナリングであることを特徴とする請求項２４に記載の端末装置。
【請求項２７】
前記目標アップリンク信号が物理アップリンク制御チャネル（ＰＵＣＣＨ）である場合、前記第１決定ユニットは、具体的に、
前記ＰＵＣＣＨのフォーマットに基づき、前記ＰＵＣＣＨのフォーマットに対応するＳＲＳリソース指示情報を決定することに用いられることを特徴とする請求項２２又は２３に記載の端末装置。
【請求項２８】
前記目標アップリンク信号が位相追跡基準信号（ＰＴＲＳ）である場合、前記第１決定ユニットは、具体的に、
第１ＰＵＳＣＨに対応するＳＲＳリソース指示情報を前記ＰＴＲＳに対応するＳＲＳリソース指示情報として決定することに用いられ、前記第１ＰＵＳＣＨを復調するための復調基準信号（ＤＭＲＳ）と前記ＰＴＲＳとが関連関係を有することを特徴とする請求項２２又は２３に記載の端末装置。
【請求項２９】
前記第２決定ユニットは、具体的に、
前記ＳＲＳリソース指示情報の示すＳＲＳリソースに対応する電力制御パラメータを前記目標アップリンク信号の第１電力制御パラメータとして決定することに用いられることを特徴とする請求項２２〜２８のいずれか１項に記載の端末装置。
【請求項３０】
前記第１電力制御パラメータは前記送信電力を計算するための経路損失値、前記送信電力を計算するための経路損失値を測定するためのダウンリンク信号の情報、開ループ電力制御パラメータ及び閉ループ電力制御パラメータのうちの少なくとも１つを含むことを特徴とする請求項２２〜２９のいずれか１項に記載の端末装置。
【請求項３１】
前記端末装置は、更に、
前記ネットワーク装置から送信された、少なくとも１つのＳＲＳリソースと少なくとも１つの電力制御パラメータとの対応関係を示すための設定情報を受信することに用いられ、前記少なくとも１つのＳＲＳリソースは前記ＳＲＳリソース指示情報の示すＳＲＳリソースを含む第２受信ユニットを備えることを特徴とする請求項２２〜３０のいずれか１項に記載の端末装置。
【請求項３２】
前記端末装置は、更に、
前記ネットワーク装置に予め設定された電力制御パラメータを用いて、前記目標アップリンク信号の送信電力を決定するための第４決定ユニットを備えることを特徴とする請求項２２〜３１のいずれか１項に記載の端末装置。
【請求項３３】
前記第２決定ユニットは、具体的に、
前記ＳＲＳリソース指示情報及び前記目標アップリンク信号の用いたアップリンクマルチアクセス方式に基づき、前記目標アップリンク信号の第１電力制御パラメータを決定することに用いられることを特徴とする請求項２２〜３２のいずれか１項に記載の端末装置。
【請求項３４】
前記第２決定ユニットは、具体的に、
前記ＳＲＳリソース指示情報の示すＳＲＳリソースに対応する電力制御パラメータ、及び前記目標アップリンク信号の用いたアップリンクマルチアクセス方式に基づき、前記目標アップリンク信号の第１電力制御パラメータを決定することに用いられることを特徴とする請求項３３に記載の端末装置。
【請求項３５】
前記目標アップリンク信号の用いたアップリンクマルチアクセス方式は離散フーリエ変換拡張直交周波数分割多重（ＤＦＴ−Ｓ−ＯＦＤＭ）、又はサイクリックプレフィックス直交周波数分割多重（ＣＰ−ＯＦＤＭ）であることを特徴とする請求項３３又は３４に記載の端末装置。
【請求項３６】
前記第３決定ユニットは、具体的に、
前記第１電力制御パラメータ及び前記ネットワーク装置が前記目標アップリンク信号に予め設定した第２電力制御パラメータに基づき、前記目標アップリンク信号の送信電力を決定することに用いられることを特徴とする請求項２２〜３５のいずれか１項に記載の端末装置。
【請求項３７】
ネットワーク装置であって、
前記端末装置に目標アップリンク信号に対応するＳＲＳリソース指示情報を送信し、前記ＳＲＳリソース指示情報は前記端末装置が前記目標アップリンク信号の第１電力制御パラメータを決定することに用いられる第１送信ユニットと、
前記端末装置が前記第１電力制御パラメータに基づいて送信した前記目標アップリンク信号を受信するための受信ユニットと、を備えることを特徴とするネットワーク装置。
【請求項３８】
前記目標アップリンク信号は物理アップリンク共有チャネル（ＰＵＳＣＨ）、物理アップリンク制御チャネル（ＰＵＣＣＨ）、物理ランダムアクセスチャネル（ＰＲＡＣＨ）、位相追跡基準信号（ＰＴＲＳ）又はサウンディング基準信号（ＳＲＳ）であることを特徴とする請求項３７に記載のネットワーク装置。
【請求項３９】
前記目標アップリンク信号が物理アップリンク共有チャネル（ＰＵＳＣＨ）である場合、前記ＳＲＳリソース指示情報は前記ＰＵＳＣＨをスケジューリングするためのダウンリンク制御情報（ＤＣＩ）に含まれ、又は
前記目標アップリンク信号が物理ランダムアクセスチャネル（ＰＲＡＣＨ）である場合、前記ＳＲＳリソース指示情報はシステム情報又は上位レイヤシグナリングに含まれ、又は
前記目標アップリンク信号がサウンディング基準信号（ＳＲＳ）である場合、前記ＳＲＳリソース指示情報は上位レイヤシグナリング又はダウンリンク制御情報（ＤＣＩ）に含まれることを特徴とする請求項３７又は３８に記載のネットワーク装置。
【請求項４０】
前記目標アップリンク信号が物理アップリンク制御チャネル（ＰＵＣＣＨ）である場合、前記ＳＲＳリソース指示情報は前記ＰＵＣＣＨリソースを示すための上位レイヤシグナリングに含まれ、又は
前記目標アップリンク信号が物理アップリンク制御チャネル（ＰＵＣＣＨ）である場合、前記ＳＲＳリソース指示情報は前記端末装置の直近に受信した物理アップリンク共有チャネル（ＰＵＳＣＨ）をスケジューリングするためのダウンリンク制御情報（ＤＣＩ）に含まれ、又は
前記目標アップリンク信号が物理アップリンク制御チャネル（ＰＵＣＣＨ）である場合、前記ＳＲＳリソース指示情報は前記ＰＵＣＣＨの閉ループ電力調整値を示すための伝送電力制御（ＴＰＣ）命令を含むダウンリンク制御情報（ＤＣＩ）に含まれ、又は
前記目標アップリンク信号が物理アップリンク制御チャネル（ＰＵＣＣＨ）である場合、前記ＳＲＳリソース指示情報は無線リソース制御（ＲＲＣ）シグナリング又は媒体アクセス制御（ＭＡＣ）シグナリングに含まれることを特徴とする請求項３７又は３８に記載のネットワーク装置。
【請求項４１】
前記第１電力制御パラメータは前記送信電力を計算するための経路損失値、前記送信電力を計算するための経路損失値を測定するためのダウンリンク信号の情報、開ループ電力制御パラメータ及び閉ループ電力制御パラメータのうちの少なくとも１つを含むことを特徴とする請求項３７〜４０のいずれか１項に記載のネットワーク装置。
【請求項４２】
前記ネットワーク装置は、更に、
少なくとも１つのサウンディング基準信号（ＳＲＳ）リソースと少なくとも１つの電力制御パラメータとの対応関係を示すための設定情報を端末装置に送信することに用いられ、前記少なくとも１つのＳＲＳリソースは前記ＳＲＳリソース指示情報の示すＳＲＳリソースを含む第２送信ユニットを備えることを特徴とする請求項３７〜４１のいずれか１項に記載のネットワーク装置。
【発明の詳細な説明】
【技術分野】
【０００１】
本願の実施例は通信分野に関し、より具体的に、信号伝送方法、端末装置及びネットワーク装置に関する。
【背景技術】
【０００２】
アップリンク信号について、端末の電力制御は節電及びセル間干渉の抑制の２つの面で重要な意味を有し、従って、どのようにアップリンク電力制御精度を向上させるかは研究されてきた課題である。
【発明の概要】
【発明が解決しようとする課題】
【０００３】
これに鑑みて、本願の実施例はアップリンク電力制御精度の向上に役立ち、それによりシステムの伝送性能を向上させることのできる、信号伝送方法、端末装置及びネットワーク装置を提供する。
【課題を解決するための手段】
【０００４】
第１態様では、信号伝送方法を提供し、該方法は、端末装置が目標アップリンク信号に対応するサウンディング基準信号（ＳＲＳ）リソース指示情報を決定することと、該端末装置が該ＳＲＳリソース指示情報に基づき、該目標アップリンク信号の第１電力制御パラメータを決定することと、該端末装置が該第１電力制御パラメータに基づき、該目標アップリンク信号の送信電力を決定することと、該端末装置が該送信電力に基づき、ネットワーク装置へ該目標アップリンク信号を送信することと、を含む。
【０００５】
ＳＲＳリソース指示情報はＳＲＳリソースを示すための指示情報であってもよい。ネットワーク装置は１つ又は複数のＳＲＳリソースを予め設定又はプロトコルによって取り決めしてもよく、異なるＳＲＳリソースを１組の独立する電力制御パラメータに対応するように予め設定してもよい。
【０００６】
ネットワーク装置から送信されたＳＲＳリソース指示情報に対応する電力制御パラメータを参照することにより、目標アップリンク信号の送信電力を決定し、そうすると、アップリンク電力制御精度の向上に役立ち、それによりシステムの伝送性能を向上させることができる。
【０００７】
該目標アップリンク信号は物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）、物理ランダムアクセスチャネル（ＰＲＡＣＨ、Ｐｈｙｓｉｃａｌ  Ｒａｎｄｏｍ  Ａｃｃｅｓｓ  Ｃｈａｎｎｅｌ）及びＳＲＳであってもよいし、位相追跡基準信号（ＰＴＲＳ、Ｐｈａｓｅ  Ｔｒａｃｋｉｎｇ  Ｒｅｆｅｒｅｎｃｅ  Ｓｉｇｎａｌ）であってもよく、又は、復調基準信号（ＤＭＲＳ、Ｄｅｍｏｄｕｌａｔｉｏｎ  Ｒｅｆｅｒｅｎｃｅ  Ｓｉｇｎａｌ）等であってもよい。
【０００８】
目標アップリンク信号に対応するサウンディング基準信号（ＳＲＳ）リソース指示情報とは、ある指示方式が特定のアップリンク信号に属するように、ネットワーク装置と端末装置が予め取り決めし、又はネットワーク装置が設定することを意味してもよい。
【０００９】
選択肢として、該第１電力制御パラメータは送信電力の計算式におけるいずれか１つ又は複数のパラメータの任意の組み合わせであってもよい。
【００１０】
選択肢として、異なるＳＲＳリソースにおいて送信されたＳＲＳが異なるビームを用いてもよい。つまり、ビーム、ＳＲＳリソース、ＳＲＳリソース指示情報及び電力制御パラメータのうちの少なくとも２つの間は対応関係を有する。
【００１１】
ネットワーク装置の指示するＳＲＳリソースに対応する電力制御パラメータを参照することにより、ネットワーク装置の指示するＳＲＳリソースにおいてＳＲＳを送信する際のビームと同じビームを用いる場合、目標アップリンク信号に好適な送信電力を決定することができ、それによってシステムの伝送性能を向上させる。
【００１２】
選択肢として、ネットワーク装置は目標アップリンク信号に対応する基準電力制御パラメータを明示的に指示してもよく、基準電力制御パラメータは、あるＳＲＳリソースにおいてＳＲＳを送信するために用いた電力制御パラメータである。
【００１３】
１つの可能な実現方式では、該方法は、更に、該端末装置が該ネットワーク装置から送信された、該ＳＲＳリソース指示情報を含む第１情報を受信することを含み、該端末装置が目標アップリンク信号に対応するサウンディング基準信号（ＳＲＳ）リソース指示情報を決定することは、該端末装置が該第１情報から該ＳＲＳリソース指示情報を決定することを含む。
【００１４】
選択肢として、該第１情報は無線リソース制御（ＲＲＣ、Ｒａｄｉｏ  Ｒｅｓｏｕｒｃｅ  Ｃｏｎｔｒｏｌ）シグナリング、媒体アクセス制御（ＭＡＣ、Ｍｅｄｉａ  Ａｃｃｅｓｓ  Ｃｏｎｔｒｏｌ）シグナリング等の上位レイヤシグナリング、ＤＣＩシグナリング、システム情報及びブロードキャスト等であってもよい。
【００１５】
１つの可能な実現方式では、該目標アップリンク信号が物理アップリンク共有チャネル（ＰＵＳＣＨ）である場合、該第１情報は該ＰＵＳＣＨをスケジューリングするためのダウンリンク制御情報（ＤＣＩ）であり、又は該目標アップリンク信号が物理ランダムアクセスチャネル（ＰＲＡＣＨ）である場合、該第１情報はシステム情報又は上位レイヤシグナリングであり、又は該目標アップリンク信号がサウンディング基準信号（ＳＲＳ）である場合、該第１情報は上位レイヤシグナリング又はダウンリンク制御情報（ＤＣＩ）である。
【００１６】
選択肢として、該目標アップリンク信号が周期的ＳＲＳである場合、端末装置は該ＳＲＳタイプが設定されたＲＲＣシグナリングに該周期的ＳＲＳに対応するＳＲＳリソース指示情報を含んでもよく、該目標アップリンク信号が非周期的ＳＲＳである場合、端末装置は該非周期的ＳＲＳにおいて伝送されたＤＣＩをトリガーすることにより該非周期的ＳＲＳに対応するＳＲＳリソース指示情報を取得してもよい。
【００１７】
１つの可能な実現方式では、該目標アップリンク信号が物理アップリンク制御チャネル（ＰＵＣＣＨ）である場合、該第１情報は該ＰＵＣＣＨリソースを示すための上位レイヤシグナリングであり、又は該目標アップリンク信号が物理アップリンク制御チャネル（ＰＵＣＣＨ）である場合、該第１情報は該端末装置の直近に受信した物理アップリンク共有チャネル（ＰＵＳＣＨ）をスケジューリングするためのダウンリンク制御情報（ＤＣＩ）であり、又は該目標アップリンク信号が物理アップリンク制御チャネル（ＰＵＣＣＨ）である場合、該第１情報は該ＰＵＣＣＨの閉ループ電力調整値を示すための伝送電力制御（ＴＰＣ）命令を含むダウンリンク制御情報（ＤＣＩ）であり、又は該目標アップリンク信号が物理アップリンク制御チャネル（ＰＵＣＣＨ）である場合、該第１情報は無線リソース制御（ＲＲＣ）シグナリング又は媒体アクセス制御（ＭＡＣ）シグナリングである。
【００１８】
１つの可能な実現方式では、該目標アップリンク信号が物理アップリンク制御チャネル（ＰＵＣＣＨ）である場合、該端末装置が目標アップリンク信号に対応するサウンディング基準信号（ＳＲＳ）リソース指示情報を決定することは、該端末装置が該ＰＵＣＣＨのフォーマットに基づき、該ＰＵＣＣＨのフォーマットに対応するＳＲＳリソース指示情報を決定することを含む。
【００１９】
選択肢として、ネットワーク機器は異なるＰＵＣＣＨフォーマットが異なるＳＲＳリソース指示情報に対応するのを予め設定してもよい。
【００２０】
１つの可能な実現方式では、該目標アップリンク信号が位相追跡基準信号（ＰＴＲＳ）である場合、該端末装置が目標アップリンク信号に対応するサウンディング基準信号（ＳＲＳ）リソース指示情報を決定することは、該端末装置が第１ＰＵＳＣＨに対応するＳＲＳリソース指示情報を該ＰＴＲＳに対応するＳＲＳリソース指示情報として決定し、該第１ＰＵＳＣＨを復調するための復調基準信号（ＤＭＲＳ）と該ＰＴＲＳとは関連関係を有することを含む。
【００２１】
１つの可能な実現方式では、該端末装置が該ＳＲＳリソース指示情報に基づき、該目標アップリンク信号の第１電力制御パラメータを決定することは、該端末装置が該ＳＲＳリソース指示情報の示すＳＲＳリソースに対応する電力制御パラメータを該目標アップリンク信号の第１電力制御パラメータとして決定することを含む。
【００２２】
選択肢として、端末装置は、ネットワーク装置の指示するＳＲＳリソースに対応する電力制御パラメータに一定のオフセット量を加えて、目標アップリンク信号の第１電力制御パラメータとして決定してもよい。
【００２３】
１つの可能な実現方式では、該第１電力制御パラメータは該送信電力を計算するための経路損失値、該送信電力を計算するための経路損失値を測定するためのダウンリンク信号の情報、開ループ電力制御パラメータ及び閉ループ電力制御パラメータのうちの少なくとも１つを含む。
【００２４】
選択肢として、該電力制御パラメータは目標電力Ｐｏであってもよいし、経路損失要素ａであってもよく、更に閉ループ電力制御要素ｆ（ｉ）等であってもよい。
【００２５】
１つの可能な実現方式では、該端末装置が目標アップリンク信号に対応するサウンディング基準信号（ＳＲＳ）リソース指示情報を決定する前に、該方法は、更に、該端末装置が該ネットワーク装置から送信された、少なくとも１つのＳＲＳリソースと少なくとも１つの電力制御パラメータとの対応関係を示すための設定情報を受信し、該少なくとも１つのＳＲＳリソースは該ＳＲＳリソース指示情報の示すＳＲＳリソースを含むことを含む。
【００２６】
選択肢として、ネットワーク装置が各ＳＲＳリソース及び対応するＳＲＳリソース指示情報を予め設定して、そして端末装置に該対応関係を通知してもよいし、プロトコルによって該対応関係を取り決めしてもよい。
【００２７】
１つの可能な実現方式では、該端末装置が目標アップリンク信号に対応するサウンディング基準信号（ＳＲＳ）リソース指示情報を決定する前に、該方法は、更に、該端末装置が該ネットワーク装置に予め設定された電力制御パラメータを用いて、該目標アップリンク信号の送信電力を決定することを含む。
【００２８】
１つの可能な実現方式では、該端末装置が該ＳＲＳリソース指示情報に基づき、該目標アップリンク信号の第１電力制御パラメータを決定することは、該端末装置が該ＳＲＳリソース指示情報及び該目標アップリンク信号の用いたアップリンクマルチアクセス方式に基づき、該目標アップリンク信号の第１電力制御パラメータを決定することを含む。
【００２９】
１つの可能な実現方式では、該端末装置が該ＳＲＳリソース指示情報及び該目標アップリンク信号の用いたアップリンクマルチアクセス方式に基づき、該目標アップリンク信号の第１電力制御パラメータを決定することは、該端末装置が該ＳＲＳリソース指示情報の示すＳＲＳリソースに対応する電力制御パラメータ、及び該目標アップリンク信号の用いたアップリンクマルチアクセス方式に基づき、該目標アップリンク信号の第１電力制御パラメータを決定することを含む。
【００３０】
１つの可能な実現方式では、該目標アップリンク信号の用いたアップリンクマルチアクセス方式は離散フーリエ変換−拡張−直交周波数分割多重（ＤＦＴ−Ｓ−ＯＦＤＭ）、又はサイクリックプレフィックス−直交周波数分割多重（ＣＰ−ＯＦＤＭ）である。
【００３１】
選択肢として、該目標アップリンク信号の用いたアップリンクマルチアクセス方式が離散フーリエ変換−拡張−直交周波数分割多重（ＤＦＴ−Ｓ−ＯＦＤＭ、Ｄｉｓｃｒｅｔｅ  Ｆｏｕｒｉｅｒ  ｔｒａｎｓｆｏｒｍ−Ｓｐｒｅａｄ−  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）である場合、該端末装置は該ＳＲＳリソース指示情報の示すＳＲＳリソースに対応する電力制御パラメータを該目標アップリンク信号の第１電力制御パラメータとして決定し、又は該目標アップリンク信号の用いたアップリンクマルチアクセス方式がサイクリックプレフィックス−直交周波数分割多重（ＣＰ−ＯＦＤＭ、Ｃｙｃｌｉｃ  Ｐｒｅｆｉｘ−  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）である場合、該端末装置は、該ＳＲＳリソース指示情報の示すＳＲＳリソースに対応する電力制御パラメータに所定のオフセット量を加えて、該目標アップリンク信号の第１電力制御パラメータとして決定する。
【００３２】
１つの可能な実現方式では、該端末装置が該第１電力制御パラメータに基づき、該目標アップリンク信号の送信電力を決定することは、該端末装置が、該第１電力制御パラメータ及び該ネットワーク装置が該目標アップリンク信号に予め設定した第２電力制御パラメータに基づき、該目標アップリンク信号の送信電力を決定することを含む。
【００３３】
第２態様では、信号伝送方法を提供し、該方法は、ネットワーク装置が、該端末装置が該目標アップリンク信号の第１電力制御パラメータを決定するための目標アップリンク信号に対応するＳＲＳリソース指示情報を端末装置に送信することと、該ネットワーク装置が、該端末装置が該第１電力制御パラメータに基づいて送信した該目標アップリンク信号を受信することと、を含む。
【００３４】
１つの可能な実現方式では、該目標アップリンク信号は物理アップリンク共有チャネル（ＰＵＳＣＨ）、物理アップリンク制御チャネル（ＰＵＣＣＨ）、物理ランダムアクセスチャネル（ＰＲＡＣＨ）、位相追跡基準信号（ＰＴＲＳ）又はサウンディング基準信号（ＳＲＳ）である。
【００３５】
１つの可能な実現方式では、該目標アップリンク信号が物理アップリンク共有チャネル（ＰＵＳＣＨ）である場合、該ＳＲＳリソース指示情報は該ＰＵＳＣＨをスケジューリングするためのダウンリンク制御情報（ＤＣＩ）に含まれ、又は該目標アップリンク信号が物理ランダムアクセスチャネル（ＰＲＡＣＨ）である場合、該ＳＲＳリソース指示情報はシステム情報又は上位レイヤシグナリングに含まれ、又は該目標アップリンク信号がサウンディング基準信号（ＳＲＳ）である場合、該ＳＲＳリソース指示情報は上位レイヤシグナリング又はダウンリンク制御情報（ＤＣＩ）に含まれる。
【００３６】
１つの可能な実現方式では、該目標アップリンク信号が物理アップリンク制御チャネル（ＰＵＣＣＨ）である場合、該ＳＲＳリソース指示情報は該ＰＵＣＣＨリソースを示すための上位レイヤシグナリングに含まれ、又は該目標アップリンク信号が物理アップリンク制御チャネル（ＰＵＣＣＨ）である場合、該ＳＲＳリソース指示情報は該端末装置の直近に受信した物理アップリンク共有チャネル（ＰＵＳＣＨ）をスケジューリングするためのダウンリンク制御情報（ＤＣＩ）に含まれ、又は該目標アップリンク信号が物理アップリンク制御チャネル（ＰＵＣＣＨ）である場合、該ＳＲＳリソース指示情報は該ＰＵＣＣＨの閉ループ電力調整値を示すための伝送電力制御（ＴＰＣ）命令を含むダウンリンク制御情報（ＤＣＩ）に含まれ、又は該目標アップリンク信号が物理アップリンク制御チャネル（ＰＵＣＣＨ）である場合、該ＳＲＳリソース指示情報は無線リソース制御（ＲＲＣ）シグナリング又は媒体アクセス制御（ＭＡＣ）シグナリングに含まれる。
【００３７】
１つの可能な実現方式では、該第１電力制御パラメータは該送信電力を計算するための経路損失値、該送信電力を計算するための経路損失値を測定するためのダウンリンク信号の情報、開ループ電力制御パラメータ及び閉ループ電力制御パラメータのうちの少なくとも１つを含む。
【００３８】
１つの可能な実現方式では、該方法は、更に、該ネットワーク装置が少なくとも１つのサウンディング基準信号（ＳＲＳ）リソースと少なくとも１つの電力制御パラメータとの対応関係を示すための設定情報を該端末装置に送信し、該少なくとも１つのＳＲＳリソースは該ＳＲＳリソース指示情報の示すＳＲＳリソースを含むことを含む。
【００３９】
第３態様では、端末装置を提供し、該端末装置は上記第１態様又は第１態様の任意の可能な実現方式における方法を実行することに用いられる。具体的に、該端末装置は上記第１態様又は第１態様の任意の可能な実現方式における方法を実行するためのユニットを備える。
【００４０】
第４態様では、ネットワーク装置を提供し、該ネットワーク装置は上記第２態様又は第２態様の任意の可能な実現方式における方法を実行することに用いられる。具体的に、該ネットワーク装置は上記第２態様又は第２態様の任意の可能な実現方式における方法を実行するためのユニットを備える。
【００４１】
第５態様では、端末装置を提供し、該端末装置はメモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行することに用いられ、上記第１態様又は第１態様の任意の可能な実現方式における方法を実行することに用いられる。
【００４２】
第６態様では、ネットワーク装置を提供し、該ネットワーク装置はメモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行することに用いられ、上記第２態様又は第２態様の任意の可能な実現方式における方法を実行することに用いられる。
【００４３】
第７態様では、コンピュータ記憶媒体を提供し、該コンピュータ記憶媒体は、上記第１態様又は第１態様の任意の可能な実現方式における方法、又は上記第２態様又は第２態様の任意の可能な実現方式における方法を実行するためのコンピュータソフトウェア命令を記憶することに用いられ、該コンピュータソフトウェア命令には上記各態様を実行するために設計したプログラムが含まれる。
【００４４】
第８態様では、命令を含むコンピュータプログラム製品を提供し、それがコンピュータにおいて実行されるとき、コンピュータは上記第１態様又は第１態様のいずれか１つの選択可能な実現方式における方法、又は上記第２態様又は第２態様のいずれか１つの選択可能な実現方式における方法を実行する。
【００４５】
本願のこれらの態様又は他の態様は以下の実施例の説明において更に明らかになる。
【図面の簡単な説明】
【００４６】
【図１】図１は本願の実施例の１つの応用シーンの模式図である。
【図２】図２は本願の実施例の信号伝送方法の模式的なブロック図である。
【図３】図３は本願の実施例の信号伝送方法のまた１つの模式的なブロック図である。
【図４】図４は本願の実施例の端末装置の模式的なブロック図である。
【図５】図５は本願の実施例のネットワーク装置の模式的なブロック図である。
【図６】図６は本願の実施例の端末装置のまた１つの模式的なブロック図である。
【図７】図７は本願の実施例のネットワーク装置のまた１つの模式的なブロック図である。
【発明を実施するための形態】
【００４７】
以下、本願の実施例の図面を参照しながら、本願の実施例の技術案を明確且つ完全に説明する。
【００４８】
本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新無線（ＮＲ、Ｎｅｗ  Ｒａｄｉｏ）又は将来の５Ｇシステム等に適用されてもよいと理解すべきである。
【００４９】
特に、本願の実施例の技術案は非直交多元アクセス技術に基づく様々な通信システム、例えば疎コード多重アクセス（ＳＣＭＡ、Ｓｐａｒｓｅ  Ｃｏｄｅ  Ｍｕｌｔｉｐｌｅ  Ａｃｃｅｓｓ）システム、低密度シグネチャ（ＬＤＳ、Ｌｏｗ  Ｄｅｎｓｉｔｙ  Ｓｉｇｎａｔｕｒｅ）システム等に適用されてもよく、無論、通信分野ではＳＣＭＡシステム及びＬＤＳシステムは他の名称と称されてもよく、更に、本願の実施例の技術案は非直交多元アクセス技術を用いるマルチキャリア伝送システム、例えば非直交多元アクセス技術を用いる直交周波数分割多重（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ、Ｆｉｌｔｅｒ  Ｂａｎｋ  Ｍｕｌｔｉ−Ｃａｒｒｉｅｒ）、汎用周波数分割多重（ＧＦＤＭ、Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ、Ｆｉｌｔｅｒｅｄ−ＯＦＤＭ）システム等に適用されてもよい。
【００５０】
本願の実施例における端末装置はユーザー装置（ＵＥ、Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来の５Ｇネットワークにおける端末装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）における端末装置等であってもよく、本願の実施例はそれを制限しない。
【００５１】
本願の実施例におけるネットワーク装置は端末装置と通信するための装置であってもよく、該ネットワーク装置はＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、ＬＴＥシステムにおける発展型基地局（ｅＮＢ又はｅＮｏｄｅＢ、Ｅｖｏｌｕｔｉｏｎａｌ  ＮｏｄｅＢ）であってもよく、更にクラウド無線アクセスネットワーク（ＣＲＡＮ、Ｃｌｏｕｄ  Ｒａｄｉｏ  Ａｃｃｅｓｓ  Ｎｅｔｗｏｒｋ）シーンにおける無線制御装置であってもよく、又は、該ネットワーク装置は中継所、アクセスポイント、車載装置、ウェアラブルデバイス及び将来の５Ｇネットワークにおけるネットワーク装置又は将来発展するＰＬＭＮネットワークにおけるネットワーク装置等であってもよく、本願の実施例はそれを制限しない。
【００５２】
図１は本願の実施例の１つの応用シーンの模式図である。図１における通信システムは端末装置１０及びネットワーク装置２０を備えてもよい。ネットワーク装置２０は端末装置１０に通信サービスを提供してコアネットワークにアクセスすることに用いられ、端末装置１０はネットワーク装置２０から送信された同期信号、ブロードキャスト信号等を検索することによりネットワークにアクセスし、それによりネットワークと通信する。図１に示す矢印は端末装置１０とネットワーク装置２０との間のセルラーリンクによるアップリンク／ダウンリンク伝送を示してもよい。
【００５３】
アップリンク信号にとって、端末の電力制御は節電及びセル間干渉の抑制の２つの面で重要な意味を有し、従って、アップリンク電力制御はＬＴＥが重点的に注目する部分である。セル内のアップリンク電力制御はそれぞれＰＵＳＣＨ、ＰＵＣＣＨ、ＰＲＡＣＨ及び ＳＲＳの電力の制御を含む。
【００５４】
５ＧではＳＲＳに基づいてアップリンクビームの管理を行い、つまり、端末装置は複数のＳＲＳリソースにおいて異なるビームを用いてＳＲＳ信号を送信することができる。同時に、５Ｇにはビームに基づく電力制御方法が導入され、合理的な送信電力を選択するために、異なるビームを用いて送信した信号は独立した電力制御パラメータを含んでもよく、それにより異なる送信電力を取得する。この時、端末装置の複数のＳＲＳリソースは異なるビームを用いるため、独立した電力制御パラメータを設定することにより送信電力を取得することができる。端末装置から送信された他のアップリンク信号、例えばＰＵＳＣＨ／ＰＵＣＣＨ等はあるＳＲＳリソースにおけるＳＲＳ信号と同じビームを用いてもよい。どのように使用されるビームに基づいてこれらのアップリンク信号の送信電力を決定するかは、解決すべき問題である。
【００５５】
図２は本願の実施例の信号伝送方法１００の模式的なブロック図である。図２に示すように、該方法１００は、
端末装置が目標アップリンク信号に対応するサウンディング基準信号（ＳＲＳ）リソース指示情報を決定するＳ１１０と、
該端末装置が該ＳＲＳリソース指示情報に基づき、該目標アップリンク信号の第１電力制御パラメータを決定するＳ１２０と、
該端末装置が該第１電力制御パラメータに基づき、該目標アップリンク信号の送信電力を決定するＳ１３０と、
該端末装置が該送信電力に基づき、ネットワーク装置へ該目標アップリンク信号を送信するＳ１４０と、を含む。
【００５６】
具体的に、ネットワーク装置が１つ又は複数のＳＲＳリソースを予め設定又はプロトコルによって取り決めしてもよく、異なるＳＲＳリソースにおいて送信されたＳＲＳが異なるビームを用いてもよく、且つネットワーク装置が該１つ又は複数のＳＲＳリソースと電力制御パラメータとの対応関係を予め設定又はプロトコルによって取り決めしてもよく、つまり、各ＳＲＳリソースが１組の独立する電力制御パラメータに対応してもよく、そうするとネットワーク装置がどのＳＲＳリソースに対応するビームを用いて目標アップリンク信号を伝送するかを端末装置に指示することにより、端末装置はＳＲＳリソースと電力制御パラメータとの対応関係によってネットワーク装置の指示するＳＲＳリソースに対応する電力制御パラメータを取得することができ、端末装置はネットワーク装置の指示する電力制御パラメータに基づいて一定の調整を行って、目標アップリンク信号の電力制御パラメータを決定してもよく、ネットワーク装置の指示する電力制御パラメータを目標アップリンク信号の電力制御パラメータとして直接決定してもよい。
【００５７】
従って、本願の実施例の信号伝送方法において、ネットワーク装置から送信されたＳＲＳリソース指示情報に対応する電力制御パラメータを参照することにより、目標アップリンク信号の送信電力を決定し、そうすると、アップリンク電力制御精度の向上に役立ち、それによりシステムの伝送性能を向上させることができる。
【００５８】
目標アップリンク信号は上記で言及したＰＵＳＣＨ、ＰＵＣＣＨ、ＰＲＡＣＨ及びＳＲＳであってもよく、ＰＴＲＳであってもよく、又は、ＤＭＲＳ等であってもよく、本願の実施例は目標アップリンク信号のタイプを制限せず、アップリンク信号であれば、いずれも本願の実施例の技術案を用いて送信電力を計算できると理解すべきである。
【００５９】
本願の実施例において、目標アップリンク信号に対応するサウンディング基準信号（ＳＲＳ）リソース指示情報における「対応」とは、ある指示方式が特定のアップリンク信号に属するように、ネットワーク装置と端末装置が予め取り決めし又はネットワーク装置が設定することを意味してもよく、例えば、ＰＵＳＣＨをスケジューリングするためのダウンリンク制御情報（ＤＣＩ、Ｄｏｗｎｌｉｎｋ  Ｃｏｎｔｒｏｌ  Ｉｎｆｏｒｎａｔｉｏｎ）におけるある特定のドメインが該ＰＵＳＣＨに対応するＳＲＳリソース指示情報であると取り決めしてもよい。
【００６０】
また、当業者であれば、ＳＲＳリソース指示情報はＳＲＳリソースを示すための指示情報であってもよいと理解できる。例えば、ネットワーク装置と端末装置が４つのＳＲＳリソースを予め取り決めし、且つ該４つのＳＲＳリソースがそれぞれ独立する電力制御パラメータを有する場合、ネットワーク装置と端末装置は更に２つのｂｉｔで該４つのＳＲＳリソースを示し、具体的に、ＳＲＳリソース１に対応する指示情報は００であり、ＳＲＳリソース２に対応する指示情報は０１であり、ＳＲＳリソース３に対応する指示情報は１０であり、ＳＲＳリソース４に対応する指示情報は１１であると予め取り決めしてもよい。
【００６１】
選択肢として、本願の実施例において、端末装置は目標アップリンク信号に対応する基準電力制御パラメータを直接取得することもできる。例えば、ネットワーク装置が、端末装置があるビームを用いてＰＵＳＣＨを送信するようにさせたい場合、ネットワーク装置はＰＵＳＣＨをスケジューリングするためのＤＣＩに該ビームを用いるＳＲＳリソースに対応する基準電力制御パラメータの指示を含んでもよく、同様に、ネットワーク装置と端末装置はＰＵＳＣＨをスケジューリングするためのＤＣＩにおけるある特定のドメインが該ＰＵＳＣＨの基準電力制御パラメータを示すためのものであると予め取り決めしてもよく、そうすると、端末装置は、ＳＲＳリソースと基準電力制御パラメータとの対応関係によって基準電力制御パラメータを間接的に取得することをせずに、該ＰＵＳＣＨの基準電力制御パラメータを直接取得することができる。ここで、「基準電力制御パラメータ」とはあるＳＲＳリソースにおいてＳＲＳを送信するために用いた電力制御パラメータを指すと理解すべきである。
【００６２】
また、本願の実施例における第１電力制御パラメータは送信電力の計算式におけるいずれか１つ又は複数のパラメータの任意の組み合わせであってもよいと理解すべきである。例えば、送信電力の計算式は、一般的に、端末装置の最大許容送信電力、電力オフセット量、アップリンク信号のサブフレームにおける伝送帯域幅、目標受信電力、経路損失補償要素、閉ループ電力調整量及び経路損失等を含む。
【００６３】
選択肢として、異なるＳＲＳリソースにおいて送信されたＳＲＳが異なるビームを用いてもよい。つまり、ビーム、ＳＲＳリソース、ＳＲＳリソース指示情報及び電力制御パラメータのうちの少なくとも２つの間は対応関係を有する。
【００６４】
ネットワーク装置の指示するＳＲＳリソースに対応する電力制御パラメータを参照することにより、ネットワーク装置の指示するＳＲＳリソースにおいてＳＲＳを送信する際のビームと同じビームを用いる場合、目標アップリンク信号に好適な送信電力を決定することができ、それによりシステムの伝送性能を向上させる。
【００６５】
以下、上記で言及した様々な目標アップリンク信号に対応するＳＲＳリソース指示情報の取得をそれぞれ詳しく説明する。
【００６６】
選択肢として、端末装置はネットワーク装置へ該ＳＲＳリソース指示情報を送信してもよい。具体的に、該端末装置は該ネットワーク装置から送信された、該ＳＲＳリソース指示情報を含む第１情報を受信し、該端末装置が目標アップリンク信号に対応するサウンディング基準信号（ＳＲＳ）リソース指示情報を決定することは、該端末装置が該第１情報から該ＳＲＳリソース指示情報を決定することを含む。
【００６７】
該第１情報はたとえば、ＲＲＣシグナリング、ＭＡＣシグナリング等の上位レイヤシグナリング、ＤＣＩシグナリング、システム情報等であってもよいと理解すべきである。
【００６８】
実施例１ 
該目標アップリンク信号が物理アップリンク共有チャネル（ＰＵＳＣＨ）である場合、該第１情報は該ＰＵＳＣＨをスケジューリングするためのダウンリンク制御情報（ＤＣＩ）である。当業者であれば、異なる制御を伝送するために、ＤＣＩは様々なフォーマットを有してもよく、ネットワーク装置は端末装置とともにＰＵＳＣＨをスケジューリングするためのＤＣＩのある指示ドメインが該ＳＲＳリソース指示情報を伝送することに用いられることを取り決めしてもよいと理解できる。
【００６９】
選択肢として、該目標アップリンク信号が物理アップリンク共有チャネル（ＰＵＳＣＨ）である場合、第１情報は更にＲＲＣシグナリング、ＭＡＣシグナリング、又はシステム情報等であってもよい。
【００７０】
実施例２
該目標アップリンク信号が物理ランダムアクセスチャネル（ＰＲＡＣＨ）である場合、該第１情報はシステム情報又は上位レイヤシグナリングであってもよい。ＰＲＡＣＨはランダムアクセスメッセージを送信し、ＲＲＣ接続を確立するためのものである。ランダムアクセスを初期化する前に、端末装置はシステム情報、例えばブロードキャスト情報によって情報を受信することができ、ランダムアクセスを初期化した後、端末装置は上位レイヤによって情報を受信することができ、従って、端末装置はシステム情報又は上位レイヤシグナリングによってＰＲＡＣＨに対応するＳＲＳリソース指示情報を受信することができる。該システム情報は他のシステム情報（ＯＳＩ、Ｏｔｈｅｒ  Ｓｙｓｔｅｍ  Ｉｎｆｏｒｍａｔｉｏｎ）又は残りのシステム情報（ＲＭＳＩ、Ｒｅｍａｉｎｉｎｇ  Ｓｙｓｔｅｍ  Ｉｎｆｏｒｍａｔｉｏｎ）であってもよい。
【００７１】
実施例３
該目標アップリンク信号がサウンディング基準信号（ＳＲＳ）である場合、該第１情報は上位レイヤシグナリング又はダウンリンク制御情報（ＤＣＩ）であってもよい。類似的に、ネットワーク装置と端末装置は上位レイヤシグナリング又はＤＣＩにおけるある特定のドメインが前記ＳＲＳに対応するＳＲＳリソース指示情報を示すことを予め取り決めしてもよい。例えば、該目標アップリンク信号が非周期的ＳＲＳである場合、端末装置は該非周期的ＳＲＳにおいて伝送されたＤＣＩをトリガーすることにより該非周期的ＳＲＳに対応するＳＲＳリソース指示情報を取得することができる。更に、例えば、該目標アップリンク信号が周期的ＳＲＳである場合、ネットワーク装置は該ＳＲＳタイプが設定されたＲＲＣシグナリングに該周期的ＳＲＳに対応するＳＲＳリソース指示情報を含んでもよい。更に、例えば、端末装置が、ＤＣＩフォーマットが第１フォーマットであると検出した場合、該ＤＣＩフォーマットに含まれたＳＲＳリソース指示情報は該ＤＣＩフォーマットにおいてトリガーされたＳＲＳに対応するＳＲＳリソース指示情報であると見なされてもよく、端末装置が、ＤＣＩフォーマットが第２フォーマットであると検出した場合、該ＤＣＩフォーマットに含まれたＳＲＳリソース指示情報は該ＤＣＩフォーマットにおいてトリガーされたＳＲＳに対応するＳＲＳリソース指示情報等であると見なされてもよい。
【００７２】
実施例４
該目標アップリンク信号が位相追跡基準信号（ＰＴＲＳ）である場合、該端末装置が目標アップリンク信号に対応するサウンディング基準信号（ＳＲＳ）リソース指示情報を決定することは、該端末装置が第１ＰＵＳＣＨに対応するＳＲＳリソース指示情報を該ＰＴＲＳに対応するＳＲＳリソース指示情報として決定し、該第１ＰＵＳＣＨを復調するための復調基準信号（ＤＭＲＳ）と該ＰＴＲＳとが関連関係を有することを含む。このような関連関係はネットワーク側に設定された対応関係であってもよく、例えば各ＰＴＲＳポートが１つのＤＭＲＳポートに対応し、このような関連関係は空間パラメータにおける関連関係であってもよく、つまり、ＤＭＲＳと前記ＰＴＲＳとが空間パラメータにおいて擬似コロケーション（Ｑｕａｓｉ−ｃｏ−ｌｏｃａｔｉｏｎ）であると理解すべきである。
【００７３】
つまり、ネットワーク装置と端末装置はいくつかのタイプのアップリンク信号に対応するＳＲＳリソース指示情報が同じであってもよいと取り決めしてもよい。例えば、端末装置がＰＵＳＣＨに対応するＳＲＳリソース指示情報を取得すると、端末装置は該ＳＲＳリソース指示情報が更にＰＴＲＳであると見なしてもよく、つまり、端末装置はＰＵＳＣＨに対応するＳＲＳリソース指示情報を取得した後、該ＰＵＳＣＨのＳＲＳリソース指示情報に基づいて該ＰＴＲＳの第１電力制御パラメータを決定することができ、それによりＰＴＲＳの送信電力を決定することができる。類似的に、端末装置はＰＵＣＣＨに対応するＳＲＳリソース指示情報を取得した後、該ＳＲＳリソース指示情報をＰＵＳＣＨのリソース指示情報等として決定することもできる。
【００７４】
実施例５
該目標アップリンク信号が物理アップリンク制御チャネル（ＰＵＣＣＨ）である場合、該第１情報は該ＰＵＣＣＨリソースを示すための上位レイヤシグナリングであり、又は該目標アップリンク信号が物理アップリンク制御チャネル（ＰＵＣＣＨ）である場合、該第１情報は該端末装置の直近に受信した物理アップリンク共有チャネル（ＰＵＳＣＨ）をスケジューリングするためのダウンリンク制御情報（ＤＣＩ）であり、又は該目標アップリンク信号が物理アップリンク制御チャネル（ＰＵＣＣＨ）である場合、該第１情報は該ＰＵＣＣＨの閉ループ電力調整値を示すための伝送電力制御（ＴＰＣ、Ｔｒａｎｓｍｉｔ  Ｐｏｗｅｒ  Ｃｏｎｔｒｏｌ）命令を含むダウンリンク制御情報（ＤＣＩ）であり、又は該目標アップリンク信号が物理アップリンク制御チャネル（ＰＵＣＣＨ）である場合、該第１情報はＲＲＣシグナリング又は媒体アクセス制御（ＭＡＣ）シグナリングである。
【００７５】
具体的に、端末装置にとって、１つのサブフレームにおいてＰＵＣＣＨに予約したリソースブロックは一般的に半静的に設定されたものである。つまり、ネットワーク装置が端末装置にＰＵＣＣＨリソースを設定したＲＲＣシグナリングに該ＳＲＳリソース指示情報を含む。ネットワーク装置はＰＵＣＣＨリソースとともに指示しなくてもよく、他のＲＲＣシグナリング又はＭＡＣシグナリングによって指示してもよいと理解すべきである。
【００７６】
ネットワーク装置はまたＴＰＣ命令とＳＲＳリソース指示情報をともに端末装置に指示し、つまり、ＴＰＣ命令を含むＤＣＩに該ＳＲＳリソース指示情報、例えばＤＣＩ  ｆｏｒｍａｔ  ０又はＤＣＩ  ｆｏｒｍａｔ  １Ａを含んでもよい。ネットワーク装置はＴＰＣ命令とともに指示することに限らなくてもよく、他のＤＣＩによって指示してもよい。例えば、ネットワーク装置は端末装置の直近に受信したＰＵＳＣＨをスケジューリングするためのＤＣＩによってＰＵＣＣＨのＳＲＳリソース指示情報を取得してもよく、本願の実施例はそれを制限しない。
【００７７】
実施例６
該目標アップリンク信号が物理アップリンク制御チャネル（ＰＵＣＣＨ）である場合、該端末装置が目標アップリンク信号に対応するサウンディング基準信号（ＳＲＳ）リソース指示情報を決定することは、該端末装置が該ＰＵＣＣＨのフォーマットに基づき、該ＰＵＣＣＨのフォーマットに対応するＳＲＳリソース指示情報を決定することを含む。
【００７８】
具体的に、ネットワーク装置は異なるＰＵＣＣＨフォーマットが異なるＳＲＳリソース指示情報に対応するのを予め設定してもよい。例えば、ネットワーク装置はＰＵＣＣＨ  ｆｏｒｍａｔ１がＳＲＳリソース０を示すための０００に対応し、ＰＵＣＣＨ  ｆｏｒｍａｔ１ａがＳＲＳリソース１を示すための００１に対応するなどのように設定してもよい。且つ、ネットワーク装置はこのような設定方式を端末装置に通知してもよく、そうすると端末装置がいずれのフォーマットのＰＵＣＣＨを用いる必要がある場合、それに対応するＳＲＳリソース指示情報が何であるかを把握でき、そうすると、対応する基準電力制御パラメータを把握でき、それにより、該ＰＵＣＣＨを送信する際に用いる送信電力を算出する。
【００７９】
上記の、ＰＵＣＣＨフォーマットをＳＲＳリソース指示情報に対応させることは他のアップリンク信号に適用されてもよく、例えばＰＲＡＣＨフォーマットをＳＲＳリソース指示情報に対応させてもよいと理解すべきである。更に、上記で言及した、ネットワーク装置が異なるＰＵＣＣＨフォーマットに異なるＳＲＳリソース指示情報を設定するのと同様に、ネットワーク装置は異なるＰＵＣＣＨフォーマットに異なるＳＲＳリソース又は異なる電力制御パラメータ等を直接設定してもよく、本願の実施例はこれに限らないと理解すべきである。
【００８０】
選択肢として、本願の実施例において、該端末装置が該ＳＲＳリソース指示情報に基づき、該目標アップリンク信号の第１電力制御パラメータを決定することは、該端末装置が該ＳＲＳリソース指示情報の示すＳＲＳリソースに対応する電力制御パラメータを該目標アップリンク信号の第１電力制御パラメータとして決定することを含む。
【００８１】
具体的に、端末装置はネットワーク装置の指示するＳＲＳリソースに対応する電力制御パラメータを該目標アップリンク信号の第１電力制御パラメータとして直接決定してもよい。例えば、該目標アップリンク信号は該ＳＲＳリソース指示情報の示すＳＲＳリソースにおいて送信されたＳＲＳと同じ経路損失値を用いてもよい。又は端末装置はネットワーク装置の指示するＳＲＳリソースに対応する電力制御パラメータに一定のオフセット量を加えて目標アップリンク信号の第１電力制御パラメータとして決定してもよい。
【００８２】
選択肢として、本願の実施例において、該第１電力制御パラメータは該送信電力を計算するための経路損失値、該送信電力を計算するための経路損失値を測定するためのダウンリンク信号の情報、開ループ電力制御パラメータ及び閉ループ電力制御パラメータのうちの少なくとも１つを含む。
【００８３】
該送信電力を計算するための経路損失値を測定するための該ダウンリンク信号の情報は経路損失基準関連情報であると見なされてもよい。つまり、目標アップリンク信号の経路損失を推定するためのダウンリンク信号のサブセットであってもよい。例えば、ＰＵＳＣＨに対する経路損失基準関連情報は、ダウンリンクパイロット信号の設定セットにおけるどのダウンリンクパイロット信号が経路損失を測定することによりＰＵＳＣＨの経路損失を推定することに用いられるかということを指してもよい。例えば、該目標アップリンク信号は該ＳＲＳリソース指示情報の示すＳＲＳリソースにおいて送信されたＳＲＳと同じダウンリンク信号を用いて取得された経路損失値を測定し、例えば同じチャネル状態情報基準信号（ＣＳＩ−ＲＳ、Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌｓ）を用いて経路損失値を測定してもよい。該ダウンリンク信号は更に同期信号又は物理報知チャネル（ＰＢＣＨ、Ｐｈｙｓｉｃａｌ  Ｂｒｏａｄｃａｓｔ  Ｃｈａｎｎｅｌ）等であってもよい。
【００８４】
具体的に、該電力制御パラメータは目標電力Ｐｏであってもよく、経路損失要素ａであってもよく、更に閉ループ電力制御要素ｆ（ｉ）等であってもよい。
【００８５】
選択肢として、本願の実施例において、該端末装置が目標アップリンク信号に対応するサウンディング基準信号（ＳＲＳ）リソース指示情報を決定する前に、該方法は、更に、該端末装置が該ネットワーク装置から送信された、少なくとも１つのＳＲＳリソースと少なくとも１つの電力制御パラメータとの対応関係を示すための設定情報を受信し、該少なくとも１つのＳＲＳリソースは該ＳＲＳリソース指示情報の示すＳＲＳリソースを含むことを含む。
【００８６】
具体的に、ネットワーク側はＮ個のＳＲＳリソース及び各ＳＲＳリソースがＳＲＳを送信するために用いる電力制御パラメータを端末に設定することができ、該Ｎ個のＳＲＳリソースは該ネットワークが端末に指示するＳＲＳリソースを含む。ここで、Ｎは１以上の整数であってもよい。同様に、ネットワーク装置は各ＳＲＳリソース及び対応するＳＲＳリソース指示情報を予め設定して端末装置に該対応関係を通知してもよく、またはプロトコルによって該対応関係を取り決めしてもよい。
【００８７】
選択肢として、本願の実施例において、該端末装置が目標アップリンク信号に対応するサウンディング基準信号（ＳＲＳ）リソース指示情報を決定する前に、該方法は、更に、該端末装置が該ネットワーク装置に予め設定された電力制御パラメータを用いて、該目標アップリンク信号の送信電力を決定することを含む。
【００８８】
言い換えると、端末がネットワーク側から送信されたＳＲＳリソース指示情報を受信していない場合、前記ＳＲＳリソース指示情報を受信するまで、ネットワーク側が前記目標アップリンク信号に予め設定した電力制御パラメータを用いる。具体的に、該ＳＲＳリソース指示情報を受信した後、該ＳＲＳリソース指示情報の示すＳＲＳリソースにおいてＳＲＳを送信するために用いた電力制御パラメータで、ネットワーク側に予め設定された値を代替する。
【００８９】
選択肢として、本願の実施例において、前記端末装置が前記ＳＲＳリソース指示情報に基づき、前記目標アップリンク信号の第１電力制御パラメータを決定することは、前記端末装置が前記ＳＲＳリソース指示情報及び前記目標アップリンク信号の用いたアップリンクマルチアクセス方式に基づき、前記目標アップリンク信号の第１電力制御パラメータを決定することを含む。
【００９０】
具体的に、該端末装置は該ＳＲＳリソース指示情報の示すＳＲＳリソースに対応する電力制御パラメータ、及び該目標アップリンク信号の用いたアップリンクマルチアクセス方式に基づき、該目標アップリンク信号の第１電力制御パラメータを決定することができる。選択肢として、該目標アップリンク信号の用いたアップリンクマルチアクセス方式はＤＦＴ−Ｓ−ＯＦＤＭ、又はサイクリックプレフィックス直交周波数分割多重（ＣＰ−ＯＦＤＭ）である。例えば、該目標アップリンク信号の用いたアップリンクマルチアクセス方式がＤＦＴ−Ｓ−ＯＦＤＭである場合、直接該ＳＲＳリソース指示情報の示す電力制御パラメータを目標アップリンク信号の第１電力制御パラメータとして用い、該目標アップリンク信号の用いたアップリンクマルチアクセス方式がＣＰ−ＯＦＤＭである場合、該ＳＲＳリソース指示情報の示す電力制御パラメータに一定のオフセット値を加えて目標アップリンク信号の第１電力制御パラメータとする。
【００９１】
選択肢として、本願の実施例において、該端末装置が該第１電力制御パラメータに基づき、該目標アップリンク信号の送信電力を決定することは、該端末装置が、該第１電力制御パラメータ及び該ネットワーク装置が該目標アップリンク信号に予め設定した第２電力制御パラメータに基づき、該目標アップリンク信号の送信電力を決定することを含む。
【００９２】
例えば、該第１電力制御パラメータは送信電力を決定するために用いた経路損失値を含んでもよく、該第２電力制御パラメータは開ループ電力制御パラメータ及び閉ループ電力制御パラメータを含んでもよい。更に例えば、該第１電力制御パラメータは開ループ電力制御パラメータを含んでもよく、該第２電力制御パラメータは閉ループ電力制御パラメータを含んでもよい。更に例えば、該第１電力制御パラメータは経路損失値及び目標電力Ｐｏを含んでもよく、該第２電力制御パラメータは他の電力制御パラメータ（例えば経路損失要素ａ及び閉ループ電力制御要素ｆ（ｉ））を含んでもよい。
【００９３】
ＰＵＳＣＨアップリンク送信電力制御の計算式を例とすれば、
端末装置がサービングセルｃのサブフレームｉにおいてＰＵＳＣＨを送信するが、ＰＵＣＣＨを送信しない場合、該ユーザー装置がサービングセルｃのサブフレームｉにおいてＰＵＳＣＨを送信する電力
2020529143.tif 000003
は、
2020529143.tif 000004
であり、
端末装置がサービングセルｃのサブフレームｉにおいてＰＵＳＣＨを送信すると同時に、ＰＵＣＣＨを送信する場合、該ユーザー装置がサービングセルｃのサブフレームｉにおいてＰＵＳＣＨを送信する電力
2020529143.tif 000005
は、
2020529143.tif 000006
であり、
2020529143.tif 000007
はＰＵＳＣＨの占有するＲＢ数であり、
2020529143.tif 000008
は端末装置が設定したサービングセルｃのサブフレームｉにおける最大送信電力であり、
2020529143.tif 000009
の線形値であり、
2020529143.tif 000010
はサブフレームｉにおいてＰＵＣＣＨを送信する送信電力の線形値であり、
2020529143.tif 000011
は端末装置が上位レイヤシグナリングによって決定した値であり、
2020529143.tif 000012
は端末装置が測定により取得したサービングセルｃから該端末装置までの経路損失値であり、
2020529143.tif 000013
は端末装置が該ＰＵＳＣＨにおいて送信されたアップリンクデータのビット数と該ＰＵＳＣＨに含まれるリソースユニットの個数との比率に基づいて決定した値であり、
2020529143.tif 000014
は端末装置が該ＰＵＳＣＨに対する電力調整命令に基づいて決定した値である。
【００９４】
上記数式によれば、第１電力制御パラメータが経路損失値
2020529143.tif 000015
であって、ネットワーク装置がそれに第２電力制御パラメータを設定していない場合、端末装置はネットワークから送信されたＳＲＳリソース指示情報に対応する経路損失値及び他のデフォルトパラメータに基づいて該ＰＵＳＣＨのアップリンク送信電力を調整すればよい。又は、第１電力制御パラメータが経路損失値
2020529143.tif 000016
であって、ネットワーク装置がそれに設定した第２電力制御パラメータが
2020529143.tif 000017
である場合、端末装置はネットワークから送信されたＳＲＳリソース指示情報に対応する経路損失値、ネットワーク装置に設定された
2020529143.tif 000018
及び他のデフォルトパラメータに基づいて該ＰＵＳＣＨのアップリンク送信電力を調整することができる。
【００９５】
図３は本願の実施例の信号伝送方法２００の模式的なブロック図である。図３に示すように、該方法２００は、
ネットワーク装置が目標アップリンク信号に対応するＳＲＳリソース指示情報を端末装置に送信し、該ＳＲＳリソース指示情報は該端末装置が該目標アップリンク信号の第１電力制御パラメータを決定することに用いられるＳ２１０と、
該ネットワーク装置が、該端末装置が該第１電力制御パラメータに基づいて送信した該目標アップリンク信号を受信するＳ２２０と、を含む。
【００９６】
従って、本願の実施例の信号伝送方法では、ネットワーク装置から送信されたＳＲＳリソース指示情報に対応する電力制御パラメータを参照することにより、目標アップリンク信号の送信電力を決定し、そうすると、アップリンク電力制御精度の向上に役立ち、それによりシステムの伝送性能を向上させることができる。
【００９７】
選択肢として、本願の実施例において、該目標アップリンク信号は物理アップリンク共有チャネル（ＰＵＳＣＨ）、物理アップリンク制御チャネル（ＰＵＣＣＨ）、物理ランダムアクセスチャネル（ＰＲＡＣＨ）、位相追跡基準信号（ＰＴＲＳ）又はサウンディング基準信号（ＳＲＳ）である。
【００９８】
選択肢として、本願の実施例において、該目標アップリンク信号が物理アップリンク共有チャネル（ＰＵＳＣＨ）である場合、該ＳＲＳリソース指示情報は該ＰＵＳＣＨをスケジューリングするためのダウンリンク制御情報（ＤＣＩ）に含まれ、又は該目標アップリンク信号が物理ランダムアクセスチャネル（ＰＲＡＣＨ）である場合、該ＳＲＳリソース指示情報はシステム情報又は上位レイヤシグナリングに含まれ、又は該目標アップリンク信号がサウンディング基準信号（ＳＲＳ）である場合、該ＳＲＳリソース指示情報は上位レイヤシグナリング又はダウンリンク制御情報（ＤＣＩ）に含まれる。
【００９９】
選択肢として、本願の実施例において、該目標アップリンク信号が物理アップリンク制御チャネル（ＰＵＣＣＨ）である場合、該ＳＲＳリソース指示情報は該ＰＵＣＣＨリソースを示すための上位レイヤシグナリングに含まれ、又は該目標アップリンク信号が物理アップリンク制御チャネル（ＰＵＣＣＨ）である場合、該ＳＲＳリソース指示情報は該端末装置の直近に受信した物理アップリンク共有チャネル（ＰＵＳＣＨ）をスケジューリングするためのダウンリンク制御情報（ＤＣＩ）に含まれ、又は該目標アップリンク信号が物理アップリンク制御チャネル（ＰＵＣＣＨ）である場合、該ＳＲＳリソース指示情報は該ＰＵＣＣＨの閉ループ電力調整値を示すための伝送電力制御（ＴＰＣ）命令を含むダウンリンク制御情報（ＤＣＩ）に含まれ、又は該目標アップリンク信号が物理アップリンク制御チャネル（ＰＵＣＣＨ）である場合、該ＳＲＳリソース指示情報は無線リソース制御（ＲＲＣ）シグナリング又は媒体アクセス制御（ＭＡＣ）シグナリングに含まれる。
【０１００】
選択肢として、本願の実施例において、該第１電力制御パラメータは該送信電力を計算するための経路損失値、該送信電力を計算するための経路損失値を測定するためのダウンリンク信号の情報、開ループ電力制御パラメータ及び閉ループ電力制御パラメータのうちの少なくとも１つを含む。
【０１０１】
選択肢として、本願の実施例において、該方法は、更に、該ネットワーク装置が、少なくとも１つのサウンディング基準信号（ＳＲＳ）リソースと少なくとも１つの電力制御パラメータとの対応関係を示すための設定情報を該端末装置に送信し、該少なくとも１つのＳＲＳリソースは該ＳＲＳリソース指示情報の示すＳＲＳリソースを含むことを含む。
【０１０２】
本明細書における用語「システム」と「ネットワーク」は常に交換可能に使用されると理解すべきである。本明細書における用語「及び／又は」は、関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【０１０３】
ネットワーク装置で説明されたネットワーク装置と端末装置とのインタラクション及び関連特性、機能等は、端末装置の関連特性、機能に対応すると理解すべきである。且つ、関連内容は上記方法１００において詳しく説明したため、簡潔のために、ここで詳細な説明は省略する。
【０１０４】
更に、本願の様々な実施例において、上記各過程の番号の順位は実行順序の前後を意味せず、各過程の実行順序はその機能及び内部論理によって決定されるべきであり、本願の実施例の実施過程を制限するためのものではないと理解すべきである。
【０１０５】
以上は本願の実施例に係る信号伝送方法を詳しく説明したが、以下は図４〜図７を参照しながら、本願の実施例に係る信号伝送装置を説明し、方法実施例で説明された技術的特徴は以下の装置実施例に適用される。
【０１０６】
図４は本願の実施例の端末装置３００の模式的なブロック図である。図４に示すように、該端末装置３００は、
目標アップリンク信号に対応するサウンディング基準信号（ＳＲＳ）リソース指示情報を決定するための第１決定ユニット３１０と、
該ＳＲＳリソース指示情報に基づき、該目標アップリンク信号の第１電力制御パラメータを決定するための第２決定ユニット３２０と、
該第１電力制御パラメータに基づき、該目標アップリンク信号の送信電力を決定するための第３決定ユニット３３０と、
該送信電力に基づき、ネットワーク装置へ該目標アップリンク信号を送信するための送信ユニット３４０と、を備える。
【０１０７】
従って、本願の実施例の端末装置は電力制御精度の向上に役立ち、それによりシステムの伝送性能を向上させる。
【０１０８】
選択肢として、本願の実施例において、該目標アップリンク信号は物理アップリンク共有チャネル（ＰＵＳＣＨ）、物理アップリンク制御チャネル（ＰＵＣＣＨ）、物理ランダムアクセスチャネル（ＰＲＡＣＨ）、位相追跡基準信号（ＰＴＲＳ）又はサウンディング基準信号（ＳＲＳ）である。
【０１０９】
選択肢として、本願の実施例において、該端末装置３００は、更に、該ネットワーク装置から送信された、該ＳＲＳリソース指示情報を含む第１情報を受信するための第１受信ユニットを備え、該第１決定ユニット３１０は、具体的に、該第１情報から該ＳＲＳリソース指示情報を決定することに用いられる。
【０１１０】
選択肢として、本願の実施例において、該目標アップリンク信号が物理アップリンク共有チャネル（ＰＵＳＣＨ）である場合、該第１情報は該ＰＵＳＣＨをスケジューリングするためのダウンリンク制御情報（ＤＣＩ）であり、又は該目標アップリンク信号が物理ランダムアクセスチャネル（ＰＲＡＣＨ）である場合、該第１情報はシステム情報又は上位レイヤシグナリングであり、又は該目標アップリンク信号がサウンディング基準信号（ＳＲＳ）である場合、該第１情報は上位レイヤシグナリング又はダウンリンク制御情報（ＤＣＩ）である。
【０１１１】
選択肢として、本願の実施例において、該目標アップリンク信号が物理アップリンク制御チャネル（ＰＵＣＣＨ）である場合、該第１情報は該ＰＵＣＣＨリソースを示すための上位レイヤシグナリングであり、又は
該目標アップリンク信号が物理アップリンク制御チャネル（ＰＵＣＣＨ）である場合、該第１情報は該端末装置の直近に受信した物理アップリンク共有チャネル（ＰＵＳＣＨ）をスケジューリングするためのダウンリンク制御情報（ＤＣＩ）であり、又は該目標アップリンク信号が物理アップリンク制御チャネル（ＰＵＣＣＨ）である場合、該第１情報は該ＰＵＣＣＨの閉ループ電力調整値を示すための伝送電力制御（ＴＰＣ）命令を含むダウンリンク制御情報（ＤＣＩ）であり、又は該目標アップリンク信号が物理アップリンク制御チャネル（ＰＵＣＣＨ）である場合、該第１情報は無線リソース制御（ＲＲＣ）シグナリング又は媒体アクセス制御（ＭＡＣ）シグナリングである。
【０１１２】
選択肢として、本願の実施例において、該目標アップリンク信号が物理アップリンク制御チャネル（ＰＵＣＣＨ）である場合、該第１決定ユニット３１０は、具体的に、該ＰＵＣＣＨのフォーマットに基づき、該ＰＵＣＣＨのフォーマットに対応するＳＲＳリソース指示情報を決定することに用いられる。
【０１１３】
選択肢として、本願の実施例において、該目標アップリンク信号が位相追跡基準信号（ＰＴＲＳ）である場合、該第１決定ユニット３１０は、具体的に、第１ＰＵＳＣＨに対応するＳＲＳリソース指示情報を該ＰＴＲＳに対応するＳＲＳリソース指示情報として決定することに用いられ、該第１ＰＵＳＣＨを復調するための復調基準信号（ＤＭＲＳ）と該ＰＴＲＳとが関連関係を有する。
【０１１４】
選択肢として、本願の実施例において、該第２決定ユニット３２０は、具体的に、該ＳＲＳリソース指示情報の示すＳＲＳリソースに対応する電力制御パラメータを該目標アップリンク信号の第１電力制御パラメータとして決定することに用いられる。
【０１１５】
選択肢として、本願の実施例において、該第１電力制御パラメータは該送信電力を計算するための経路損失値、該送信電力を計算するための経路損失値を測定するためのダウンリンク信号の情報、開ループ電力制御パラメータ及び閉ループ電力制御パラメータのうちの少なくとも１つを含む。
【０１１６】
選択肢として、本願の実施例において、該端末装置３００は、更に、該ネットワーク装置から送信された、少なくとも１つのＳＲＳリソースと少なくとも１つの電力制御パラメータとの対応関係を示すための設定情報を受信することに用いられ、該少なくとも１つのＳＲＳリソースは該ＳＲＳリソース指示情報の示すＳＲＳリソースを含む第２受信ユニットを備える。
【０１１７】
選択肢として、本願の実施例において、該端末装置３００は、更に、該ネットワーク装置に予め設定された電力制御パラメータを用いて、該目標アップリンク信号の送信電力を決定するための第４決定ユニットを備える。
【０１１８】
選択肢として、本願の実施例において、該第２決定ユニット３２０は、具体的に、該ＳＲＳリソース指示情報及び該目標アップリンク信号の用いたアップリンクマルチアクセス方式に基づき、該目標アップリンク信号の第１電力制御パラメータを決定することに用いられる。
【０１１９】
選択肢として、本願の実施例において、該第２決定ユニット３２０は、具体的に、該ＳＲＳリソース指示情報の示すＳＲＳリソースに対応する電力制御パラメータ、及び該目標アップリンク信号の用いたアップリンクマルチアクセス方式に基づき、該目標アップリンク信号の第１電力制御パラメータを決定することに用いられる。
【０１２０】
選択肢として、本願の実施例において、該目標アップリンク信号の用いたアップリンクマルチアクセス方式は離散フーリエ変換拡張直交周波数分割多重（ＤＦＴ−Ｓ−ＯＦＤＭ）、又はサイクリックプレフィックス直交周波数分割多重（ＣＰ−ＯＦＤＭ）である。
【０１２１】
選択肢として、本願の実施例において、該第３決定ユニット３３０は、具体的に、該第１電力制御パラメータ及び該ネットワーク装置が該目標アップリンク信号に予め設定した第２電力制御パラメータに基づき、該目標アップリンク信号の送信電力を決定することに用いられる。
【０１２２】
本願の実施例に係る端末装置３００は本願の方法実施例における端末装置に対応してもよく、且つ端末装置３００における各ユニットの上記及び他の操作及び／又は機能はそれぞれ図２の方法における端末装置の対応プロセスを実現するためのものであり、簡潔のために、ここで詳細な説明は省略すると理解すべきである。
【０１２３】
図５は本願の実施例のネットワーク装置４００の模式的なブロック図である。図５に示すように、該ネットワーク装置４００は、
該端末装置に目標アップリンク信号に対応するＳＲＳリソース指示情報を送信し、該ＳＲＳリソース指示情報は該端末装置が該目標アップリンク信号の第１電力制御パラメータを決定することに用いられる第１送信ユニット４１０と、
該端末装置が該第１電力制御パラメータに基づいて送信した該目標アップリンク信号を受信するための受信ユニット４２０と、を備える。
【０１２４】
従って、本願の実施例のネットワーク装置は電力制御精度の向上に役立ち、それによりシステムの伝送性能を向上させる。
【０１２５】
選択肢として、本願の実施例において、該目標アップリンク信号は物理アップリンク共有チャネル（ＰＵＳＣＨ）、物理アップリンク制御チャネル（ＰＵＣＣＨ）、物理ランダムアクセスチャネル（ＰＲＡＣＨ）、位相追跡基準信号（ＰＴＲＳ）又はサウンディング基準信号（ＳＲＳ）である。
【０１２６】
選択肢として、本願の実施例において、該目標アップリンク信号が物理アップリンク共有チャネル（ＰＵＳＣＨ）である場合、該ＳＲＳリソース指示情報は該ＰＵＳＣＨをスケジューリングするためのダウンリンク制御情報（ＤＣＩ）に含まれ、又は該目標アップリンク信号が物理ランダムアクセスチャネル（ＰＲＡＣＨ）である場合、該ＳＲＳリソース指示情報はシステム情報又は上位レイヤシグナリングに含まれ、又は該目標アップリンク信号がサウンディング基準信号（ＳＲＳ）である場合、該ＳＲＳリソース指示情報は上位レイヤシグナリング又はダウンリンク制御情報（ＤＣＩ）に含まれる。
【０１２７】
選択肢として、本願の実施例において、該目標アップリンク信号が物理アップリンク制御チャネル（ＰＵＣＣＨ）である場合、該ＳＲＳリソース指示情報は該ＰＵＣＣＨリソースを示すための上位レイヤシグナリングに含まれ、又は該目標アップリンク信号が物理アップリンク制御チャネル（ＰＵＣＣＨ）である場合、該ＳＲＳリソース指示情報は該端末装置の直近に受信した物理アップリンク共有チャネル（ＰＵＳＣＨ）をスケジューリングするためのダウンリンク制御情報（ＤＣＩ）に含まれ、又は該目標アップリンク信号が物理アップリンク制御チャネル（ＰＵＣＣＨ）である場合、該ＳＲＳリソース指示情報は該ＰＵＣＣＨの閉ループ電力調整値を示すための伝送電力制御（ＴＰＣ）命令を含むダウンリンク制御情報（ＤＣＩ）に含まれ、又は該目標アップリンク信号が物理アップリンク制御チャネル（ＰＵＣＣＨ）である場合、該ＳＲＳリソース指示情報は無線リソース制御（ＲＲＣ）シグナリング又は媒体アクセス制御（ＭＡＣ）シグナリングに含まれる。
【０１２８】
選択肢として、本願の実施例において、該第１電力制御パラメータは該送信電力を計算するための経路損失値、該送信電力を計算するための経路損失値を測定するためのダウンリンク信号の情報、開ループ電力制御パラメータ及び閉ループ電力制御パラメータのうちの少なくとも１つを含む。
【０１２９】
選択肢として、本願の実施例において、該ネットワーク装置４００は、更に、少なくとも１つのサウンディング基準信号（ＳＲＳ）リソースと少なくとも１つの電力制御パラメータとの対応関係を示すための設定情報を端末装置に送信することに用いられ、該少なくとも１つのＳＲＳリソースは該ＳＲＳリソース指示情報の示すＳＲＳリソースを含む第２送信ユニットを備える。
【０１３０】
本願の実施例に係るネットワーク装置４００は本願の方法実施例におけるネットワーク装置に対応してもよく、且つネットワーク装置４００における各ユニットの上記及び他の操作及び／又は機能はそれぞれ図３の方法におけるネットワーク装置の対応プロセスを実現するためのものであり、簡潔のために、ここで詳細な説明は省略すると理解すべきである。
【０１３１】
図６に示すように、本願の実施例は更に端末装置５００を提供し、該端末装置５００は図４における端末装置３００であってもよく、図２における方法１００に対応する端末装置の内容を実行することができる。該端末装置５００は入力インターフェース５１０、出力インターフェース５２０、プロセッサ５３０及びメモリ５４０を備え、該入力インターフェース５１０、出力インターフェース５２０、プロセッサ５３０及びメモリ５４０はバスシステムによって接続されてもよい。該メモリ５４０はプログラム、命令又はコードを記憶することに用いられる。該プロセッサ５３０は、該メモリ５４０におけるプログラム、命令又はコードを実行して、入力インターフェース５１０が信号を受信するのを制御し、出力インターフェース５２０が信号を送信するのを制御し、及び上記方法実施例における操作を行うことに用いられる。
【０１３２】
従って、本願の実施例の端末装置はネットワーク装置から送信されたＳＲＳリソース指示情報に対応する電力制御パラメータを参照することにより、目標アップリンク信号の送信電力を決定し、そうすると、アップリンク電力制御精度の向上に役立ち、それによりシステムの伝送性能を向上させることができる。
【０１３３】
本願の実施例において、該プロセッサ５３０は中央処理装置（ＣＰＵ、Ｃｅｎｔｒａｌ  Ｐｒｏｃｅｓｓｉｎｇ  Ｕｎｉｔ）であってもよく、該プロセッサ５３０は更に他の汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１３４】
該メモリ５４０は読み出し専用メモリ及びランダムアクセスメモリを含んでもよく、且つプロセッサ５３０に命令及びデータを提供する。メモリ５４０の一部は更に不揮発性ランダムアクセスメモリを含んでもよい。例えば、メモリ５４０に更に装置タイプの情報が記憶されてもよい。
【０１３５】
実現過程において、上記方法の各内容はプロセッサ５３０におけるハードウェアの集積論理回路又はソフトウェア形式の命令で実現してもよい。本願の実施例に開示される方法の内容はハードウェアプロセッサで実行して実現し、又はプロセッサにおけるハードウェア及びソフトウェアモジュールの組み合わせで実行して実現するというように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ５４０に位置し、プロセッサ５３０がメモリ５４０における情報を読み取り、そのハードウェアと組み合わせて上記方法の内容を実現する。重複を避けるため、ここで詳細な説明は省略する。
【０１３６】
１つの具体的な実施形態において、端末装置３００における第１決定ユニット、第２決定ユニット、第３決定ユニット及び第４決定ユニットは図６におけるプロセッサ５３０により実現されてもよく、端末装置３００の送信ユニットは図６における出力インターフェース５２０により実現されてもよく、端末装置３００の第１受信ユニット及び第２受信ユニットは図６における入力インターフェース５１０により実現されてもよい。
【０１３７】
図７に示すように、本願の実施例は更にネットワーク装置６００を提供し、該ネットワーク装置６００は図５におけるネットワーク装置４００であってもよく、図３における方法２００に対応するネットワーク装置の内容を実行することができる。該ネットワーク装置６００は入力インターフェース６１０、出力インターフェース６２０、プロセッサ６３０及びメモリ６４０を備え、該入力インターフェース６１０、出力インターフェース６２０、プロセッサ６３０及びメモリ６４０はバスシステムによって接続されてもよい。該メモリ６４０はプログラム、命令又はコードを記憶することに用いられる。該プロセッサ６３０は該メモリ６４０におけるプログラム、命令又はコードを実行して入力インターフェース６１０が信号を受信するのを制御し、出力インターフェース６２０が信号を送信するのを制御し、及び上記方法実施例における操作を行うことに用いられる。
【０１３８】
従って、本願の実施例のネットワーク装置は電力制御精度の向上に役立ち、それによりシステムの伝送性能を向上させる。
【０１３９】
本願の実施例において、該プロセッサ６３０は中央処理装置（ＣＰＵ、Ｃｅｎｔｒａｌ  Ｐｒｏｃｅｓｓｉｎｇ  Ｕｎｉｔ）であってもよく、該プロセッサ６３０は更に他の汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１４０】
該メモリ６４０は読み出し専用メモリ及びランダムアクセスメモリを含んでもよく、且つプロセッサ６３０に命令及びデータを提供する。メモリ６４０の一部は更に不揮発性ランダムアクセスメモリを含んでもよい。例えば、メモリ６４０に更に装置タイプの情報が記憶されてもよい。
【０１４１】
実現過程において、上記方法の各内容はプロセッサ６３０におけるハードウェアの集積論理回路又はソフトウェア形式の命令で実現してもよい。本願の実施例に開示される方法の内容はハードウェアプロセッサで実行して実現し、又はプロセッサにおけるハードウェア及びソフトウェアモジュールの組み合わせで実行して実現するというように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ６４０に位置し、プロセッサ６３０がメモリ６４０における情報を読み取り、そのハードウェアと組み合わせて上記方法の内容を実現する。重複を避けるため、ここで詳細な説明は省略する。
【０１４２】
１つの具体的な実施形態において、ネットワーク装置４００における第１送信ユニット及び第２送信ユニットは図７における出力インターフェース６２０により実現されてもよく、ネットワーク装置４００における受信ユニットは図７における入力インターフェース６１０により実現されてもよい。
【０１４３】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解できる。これらの機能をハードウェアそれともソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１４４】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解できる。
【０１４５】
本願に係るいくつかの実施例において、開示されるシステム、装置及び方法は他の方式で実現されてもよいと理解すべきである。例えば、以上に説明される装置実施例は模式的なものに過ぎず、例えば、該ユニットの区分けは論理機能上の区分けに過ぎず、実際に実現するとき、他の区分け方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１４６】
分離部材として説明される該ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１４７】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０１４８】
該機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の部分はソフトウェア製品の形式で具現されてもよく、該コンピュータソフトウェア製品は、１台のコンピュータ装置（パーソナルコンピュータ、サーバ又はネットワーク装置等であってもよい）に本願の各実施例の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０１４９】
以上の説明は本願の具体的な実施形態に過ぎず、本願の保護範囲を制限するためのものではなく、当業者が本願に開示される技術的範囲内において容易に想到できる変更や置換はいずれも本願の保護範囲内に含まれるべきである。従って、本願の保護範囲は特許請求の範囲に準じるべきである。
【図１】
2020529143.tif 000019
【図２】
2020529143.tif 000020
【図３】
2020529143.tif 000021
【図４】
2020529143.tif 000022
【図５】
2020529143.tif 000023
【図６】
2020529143.tif 000024
【図７】
2020529143.tif 000025
【手続補正書】
【提出日】令和2年5月26日(2020.5.26)
【手続補正１】
【補正対象書類名】明細書
【補正対象項目名】００５１
【補正方法】変更
【補正の内容】
【００５１】
本願の実施例におけるネットワーク装置は端末装置と通信するための装置であってもよく、該ネットワーク装置はＧＳＭ又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、ＬＴＥシステムにおける発展型基地局（ｅＮＢ又はｅＮｏｄｅＢ、Ｅｖｏｌｕｔｉｏｎａｌ  ＮｏｄｅＢ）であってもよく、更にクラウド無線アクセスネットワーク（ＣＲＡＮ、Ｃｌｏｕｄ  Ｒａｄｉｏ  Ａｃｃｅｓｓ  Ｎｅｔｗｏｒｋ）シーンにおける無線制御装置であってもよく、又は、該ネットワーク装置は中継所、アクセスポイント、車載装置、ウェアラブルデバイス及び将来の５Ｇネットワークにおけるネットワーク装置又は将来発展するＰＬＭＮネットワークにおけるネットワーク装置等であってもよく、本願の実施例はそれを制限しない。
【手続補正２】
【補正対象書類名】明細書
【補正対象項目名】００５４
【補正方法】変更
【補正の内容】
【００５４】
５ＧではＳＲＳに基づいてアップリンクビームの管理を行い、つまり、端末装置は複数のＳＲＳリソースにおいて異なるビームを用いてＳＲＳ信号を送信することができる。同時に、５Ｇにはビームに基づく電力制御方法が導入され、合理的な送信電力を選択するために、異なるビームを用いて送信した信号は独立した電力制御パラメータを含んでもよく、それにより異なる送信電力を取得する。この時、端末装置の複数のＳＲＳリソースは異なるビームを用いるため、独立した電力制御パラメータを設定することにより送信電力を取得することができる。端末装置から送信された他のアップリンク信号、例えばＰＵＳＣＨ／ＰＵＣＣＨ等はあるＳＲＳリソースにおけるＳＲＳ信号の用いたビームと同じビームを用いてもよい。どのように使用されるビームに基づいてこれらのアップリンク信号の送信電力を決定するかは、解決すべき問題である。
【手続補正３】
【補正対象書類名】明細書
【補正対象項目名】００５９
【補正方法】変更
【補正の内容】
【００５９】
本願の実施例において、目標アップリンク信号に対応するサウンディング基準信号（ＳＲＳ）リソース指示情報における「対応」とは、ある指示方式が特定のアップリンク信号に属するように、ネットワーク装置と端末装置が予め取り決めし又はネットワーク装置が設定することを意味してもよく、例えば、ＰＵＳＣＨをスケジューリングするためのダウンリンク制御情報（ＤＣＩ、Ｄｏｗｎｌｉｎｋ  Ｃｏｎｔｒｏｌ  Ｉｎｆｏｒｍａｔｉｏｎ）におけるある特定のドメインが該ＰＵＳＣＨに対応するＳＲＳリソース指示情報であると取り決めしてもよい。
【手続補正４】
【補正対象書類名】明細書
【補正対象項目名】００６６
【補正方法】変更
【補正の内容】
【００６６】
選択肢として、ネットワーク装置は端末装置へ該ＳＲＳリソース指示情報を送信してもよい。具体的に、該端末装置は該ネットワーク装置から送信された、該ＳＲＳリソース指示情報を含む第１情報を受信し、該端末装置が目標アップリンク信号に対応するサウンディング基準信号（ＳＲＳ）リソース指示情報を決定することは、該端末装置が該第１情報から該ＳＲＳリソース指示情報を決定することを含む。
【手続補正５】
【補正対象書類名】明細書
【補正対象項目名】００７０
【補正方法】変更
【補正の内容】
【００７０】
実施例２
該目標アップリンク信号が物理ランダムアクセスチャネル（ＰＲＡＣＨ）である場合、該第１情報はシステム情報又は上位レイヤシグナリングであってもよい。ＰＲＡＣＨはランダムアクセスメッセージを送信し、ＲＲＣ接続を確立するためのものである。ランダムアクセスを初期化する前に、端末装置はシステム情報、例えばブロードキャスト情報によって情報を受信することができ、ランダムアクセスを初期化した後、端末装置は上位レイヤシグナリングによって情報を受信することができ、従って、端末装置はシステム情報又は上位レイヤシグナリングによってＰＲＡＣＨに対応するＳＲＳリソース指示情報を受信することができる。該システム情報は他のシステム情報（ＯＳＩ、Ｏｔｈｅｒ  Ｓｙｓｔｅｍ  Ｉｎｆｏｒｍａｔｉｏｎ）又は残りのシステム情報（ＲＭＳＩ、Ｒｅｍａｉｎｉｎｇ  Ｓｙｓｔｅｍ  Ｉｎｆｏｒｍａｔｉｏｎ）であってもよい。
【手続補正６】
【補正対象書類名】明細書
【補正対象項目名】００８３
【補正方法】変更
【補正の内容】
【００８３】
該送信電力を計算するための経路損失値を測定するための該ダウンリンク信号の情報は経路損失基準関連情報であると見なされてもよい。つまり、目標アップリンク信号の経路損失を推定するためのダウンリンク信号のサブセットであってもよい。例えば、ＰＵＳＣＨに対する経路損失基準関連情報は、ダウンリンクパイロット信号の設定セットにおけるどのダウンリンクパイロット信号が経路損失を測定することによりＰＵＳＣＨの経路損失を推定することに用いられるかということを指してもよい。例えば、該目標アップリンク信号は該ＳＲＳリソース指示情報の示すＳＲＳリソースにおいて送信されたＳＲＳと同じダウンリンク信号を用いて経路損失値を測定し取得して、例えば同じチャネル状態情報基準信号（ＣＳＩ−ＲＳ、Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌｓ）を用いて経路損失値を測定してもよい。該ダウンリンク信号は更に同期信号又は物理報知チャネル（ＰＢＣＨ、Ｐｈｙｓｉｃａｌ  Ｂｒｏａｄｃａｓｔ  Ｃｈａｎｎｅｌ）等であってもよい。
【手続補正７】
【補正対象書類名】特許請求の範囲
【補正対象項目名】全文
【補正方法】変更
【補正の内容】
【特許請求の範囲】
【請求項１】
信号伝送方法であって、
端末装置が、目標アップリンク信号に対応するサウンディング基準信号（ＳＲＳ）リソース指示情報を決定することと、
前記端末装置が、前記ＳＲＳリソース指示情報に基づき、前記目標アップリンク信号の第１電力制御パラメータを決定することと、
前記端末装置が、前記第１電力制御パラメータに基づき、前記目標アップリンク信号の送信電力を決定することと、
前記端末装置が前記送信電力に基づき、ネットワーク装置へ前記目標アップリンク信号を送信することと、を含むことを特徴とする信号伝送方法。
【請求項２】
前記ＳＲＳリソース指示情報と前記第１電力制御パラメータとは対応関係を有することを特徴とする請求項１に記載の方法。
【請求項３】
前記目標アップリンク信号は物理アップリンク共有チャネル（ＰＵＳＣＨ）、物理アップリンク制御チャネル（ＰＵＣＣＨ）、物理ランダムアクセスチャネル（ＰＲＡＣＨ）、位相追跡基準信号（ＰＴＲＳ）又はサウンディング基準信号（ＳＲＳ）であることを特徴とする請求項１又は２に記載の方法。
【請求項４】
前記方法は、更に、
前記端末装置が前記ネットワーク装置から送信された、前記ＳＲＳリソース指示情報を含む第１情報を受信することを含み、
前記端末装置が目標アップリンク信号に対応するサウンディング基準信号（ＳＲＳ）リソース指示情報を決定することは、
前記端末装置が前記第１情報から前記ＳＲＳリソース指示情報を決定することを含むことを特徴とする請求項１〜３のいずれか１項に記載の方法。
【請求項５】
前記目標アップリンク信号が物理アップリンク共有チャネル（ＰＵＳＣＨ）である場合、前記第１情報は前記ＰＵＳＣＨをスケジューリングするためのダウンリンク制御情報（ＤＣＩ）であり、又は
前記目標アップリンク信号が物理ランダムアクセスチャネル（ＰＲＡＣＨ）である場合、前記第１情報はシステム情報又は上位レイヤシグナリングであり、又は
前記目標アップリンク信号がサウンディング基準信号（ＳＲＳ）である場合、前記第１情報は上位レイヤシグナリング又はダウンリンク制御情報（ＤＣＩ）であることを特徴とする請求項４に記載の方法。
【請求項６】
前記目標アップリンク信号が物理アップリンク制御チャネル（ＰＵＣＣＨ）である場合、前記第１情報は前記ＰＵＣＣＨリソースを示すための上位レイヤシグナリングであり、又は
前記目標アップリンク信号が物理アップリンク制御チャネル（ＰＵＣＣＨ）である場合、前記第１情報は前記端末装置の直近に受信した物理アップリンク共有チャネル（ＰＵＳＣＨ）をスケジューリングするためのダウンリンク制御情報（ＤＣＩ）であり、又は
前記目標アップリンク信号が物理アップリンク制御チャネル（ＰＵＣＣＨ）である場合、前記第１情報は、前記ＰＵＣＣＨの閉ループ電力調整値を示すための伝送電力制御（ＴＰＣ）命令を含むダウンリンク制御情報（ＤＣＩ）であり、又は
前記目標アップリンク信号が物理アップリンク制御チャネル（ＰＵＣＣＨ）である場合、前記第１情報は無線リソース制御（ＲＲＣ）シグナリング又は媒体アクセス制御（ＭＡＣ）シグナリングであることを特徴とする請求項４に記載の方法。
【請求項７】
前記第１電力制御パラメータは、前記送信電力を計算するための経路損失値、前記送信電力を計算するための経路損失値を測定するためのダウンリンク信号の情報、開ループ電力制御パラメータ及び閉ループ電力制御パラメータのうちの少なくとも１つを含むことを特徴とする請求項１〜６のいずれか１項に記載の方法。
【請求項８】
前記端末装置が目標アップリンク信号に対応するサウンディング基準信号（ＳＲＳ）リソース指示情報を決定する前に、前記方法は、更に、
前記端末装置が前記ネットワーク装置から送信された、少なくとも１つのＳＲＳリソースと少なくとも１つの電力制御パラメータとの対応関係を示すための設定情報を受信し、前記少なくとも１つのＳＲＳリソースは前記ＳＲＳリソース指示情報の示すＳＲＳリソースを含むことを含むことを特徴とする請求項１〜７のいずれか１項に記載の方法。
【請求項９】
前記方法は、更に、
前記端末装置が前記ネットワーク装置に予め設定された電力制御パラメータを用いて、前記目標アップリンク信号の送信電力を決定することを含むことを特徴とする請求項１〜８のいずれか１項に記載の方法。
【請求項１０】
前記端末装置が前記第１電力制御パラメータに基づき、前記目標アップリンク信号の送信電力を決定することは、
前記端末装置が、前記第１電力制御パラメータ及び前記ネットワーク装置が前記目標アップリンク信号に予め設定した第２電力制御パラメータに基づき、前記目標アップリンク信号の送信電力を決定することを含むことを特徴とする請求項１〜９のいずれか１項に記載の方法。
【請求項１１】
信号伝送方法であって、
ネットワーク装置が、端末装置に目標アップリンク信号に対応するＳＲＳリソース指示情報を送信し、前記ＳＲＳリソース指示情報は前記端末装置が前記目標アップリンク信号の第１電力制御パラメータを決定することに用いられることと、
前記ネットワーク装置が、前記端末装置が前記第１電力制御パラメータに基づいて送信した前記目標アップリンク信号を受信することと、を含むことを特徴とする信号伝送方法。
【請求項１２】
前記目標アップリンク信号は物理アップリンク共有チャネル（ＰＵＳＣＨ）、物理アップリンク制御チャネル（ＰＵＣＣＨ）、物理ランダムアクセスチャネル（ＰＲＡＣＨ）、位相追跡基準信号（ＰＴＲＳ）又はサウンディング基準信号（ＳＲＳ）であることを特徴とする請求項１１に記載の方法。
【請求項１３】
前記目標アップリンク信号が物理アップリンク共有チャネル（ＰＵＳＣＨ）である場合、前記ＳＲＳリソース指示情報は前記ＰＵＳＣＨをスケジューリングするためのダウンリンク制御情報（ＤＣＩ）に含まれ、又は
前記目標アップリンク信号が物理ランダムアクセスチャネル（ＰＲＡＣＨ）である場合、前記ＳＲＳリソース指示情報はシステム情報又は上位レイヤシグナリングに含まれ、又は
前記目標アップリンク信号がサウンディング基準信号（ＳＲＳ）である場合、前記ＳＲＳリソース指示情報は上位レイヤシグナリング又はダウンリンク制御情報（ＤＣＩ）に含まれることを特徴とする請求項１１又は１２に記載の方法。
【請求項１４】
前記目標アップリンク信号が物理アップリンク制御チャネル（ＰＵＣＣＨ）である場合、前記ＳＲＳリソース指示情報は前記ＰＵＣＣＨリソースを示すための上位レイヤシグナリングに含まれ、又は
前記目標アップリンク信号が物理アップリンク制御チャネル（ＰＵＣＣＨ）である場合、前記ＳＲＳリソース指示情報は前記端末装置の直近に受信した物理アップリンク共有チャネル（ＰＵＳＣＨ）をスケジューリングするためのダウンリンク制御情報（ＤＣＩ）に含まれ、又は
前記目標アップリンク信号が物理アップリンク制御チャネル（ＰＵＣＣＨ）である場合、前記ＳＲＳリソース指示情報は、前記ＰＵＣＣＨの閉ループ電力調整値を示すための伝送電力制御（ＴＰＣ）命令を含むダウンリンク制御情報（ＤＣＩ）に含まれ、又は
前記目標アップリンク信号が物理アップリンク制御チャネル（ＰＵＣＣＨ）である場合、前記ＳＲＳリソース指示情報は無線リソース制御（ＲＲＣ）シグナリング又は媒体アクセス制御（ＭＡＣ）シグナリングに含まれることを特徴とする請求項１１又は１２に記載の方法。
【請求項１５】
前記第１電力制御パラメータは前記送信電力を計算するための経路損失値、前記送信電力を計算するための経路損失値を測定するためのダウンリンク信号の情報、開ループ電力制御パラメータ及び閉ループ電力制御パラメータのうちの少なくとも１つを含むことを特徴とする請求項１１〜１４のいずれか１項に記載の方法。
【請求項１６】
端末装置であって、
目標アップリンク信号に対応するサウンディング基準信号（ＳＲＳ）リソース指示情報を決定するための第１決定ユニットと、
前記ＳＲＳリソース指示情報に基づき、前記目標アップリンク信号の第１電力制御パラメータを決定するための第２決定ユニットと、
前記第１電力制御パラメータに基づき、前記目標アップリンク信号の送信電力を決定するための第３決定ユニットと、
前記送信電力に基づき、ネットワーク装置へ前記目標アップリンク信号を送信するための送信ユニットと、を備えることを特徴とする端末装置。
【請求項１７】
前記ＳＲＳリソース指示情報と前記第１電力制御パラメータとは対応関係を有することを特徴とする請求項１６に記載の端末装置。
【請求項１８】
前記目標アップリンク信号は物理アップリンク共有チャネル（ＰＵＳＣＨ）、物理アップリンク制御チャネル（ＰＵＣＣＨ）、物理ランダムアクセスチャネル（ＰＲＡＣＨ）、位相追跡基準信号（ＰＴＲＳ）又はサウンディング基準信号（ＳＲＳ）であることを特徴とする請求項１６又は１７に記載の端末装置。
【請求項１９】
前記端末装置は、更に、
前記ネットワーク装置から送信された、前記ＳＲＳリソース指示情報を含む第１情報を受信するための第１受信ユニットを備え、
前記第１決定ユニットは、具体的に、
前記第１情報から前記ＳＲＳリソース指示情報を決定することに用いられることを特徴とする請求項１６〜１８のいずれか１項に記載の端末装置。
【請求項２０】
前記目標アップリンク信号が物理アップリンク共有チャネル（ＰＵＳＣＨ）である場合、前記第１情報は前記ＰＵＳＣＨをスケジューリングするためのダウンリンク制御情報（ＤＣＩ）であり、又は
前記目標アップリンク信号が物理ランダムアクセスチャネル（ＰＲＡＣＨ）である場合、前記第１情報はシステム情報又は上位レイヤシグナリングであり、又は
前記目標アップリンク信号がサウンディング基準信号（ＳＲＳ）である場合、前記第１情報は上位レイヤシグナリング又はダウンリンク制御情報（ＤＣＩ）であることを特徴とする請求項１９に記載の端末装置。
【請求項２１】
前記目標アップリンク信号が物理アップリンク制御チャネル（ＰＵＣＣＨ）である場合、前記第１情報は前記ＰＵＣＣＨリソースを示すための上位レイヤシグナリングであり、又は
前記目標アップリンク信号が物理アップリンク制御チャネル（ＰＵＣＣＨ）である場合、前記第１情報は前記端末装置の直近に受信した物理アップリンク共有チャネル（ＰＵＳＣＨ）をスケジューリングするためのダウンリンク制御情報（ＤＣＩ）であり、又は
前記目標アップリンク信号が物理アップリンク制御チャネル（ＰＵＣＣＨ）である場合、前記第１情報は前記ＰＵＣＣＨの閉ループ電力調整値を示すための伝送電力制御（ＴＰＣ）命令を含むダウンリンク制御情報（ＤＣＩ）であり、又は
前記目標アップリンク信号が物理アップリンク制御チャネル（ＰＵＣＣＨ）である場合、前記第１情報は無線リソース制御（ＲＲＣ）シグナリング又は媒体アクセス制御（ＭＡＣ）シグナリングであることを特徴とする請求項１９に記載の端末装置。
【請求項２２】
前記第１電力制御パラメータは前記送信電力を計算するための経路損失値、前記送信電力を計算するための経路損失値を測定するためのダウンリンク信号の情報、開ループ電力制御パラメータ及び閉ループ電力制御パラメータのうちの少なくとも１つを含むことを特徴とする請求項１６〜２１のいずれか１項に記載の端末装置。
【請求項２３】
前記端末装置は、更に、
前記ネットワーク装置から送信された、少なくとも１つのＳＲＳリソースと少なくとも１つの電力制御パラメータとの対応関係を示すための設定情報を受信することに用いられ、前記少なくとも１つのＳＲＳリソースは前記ＳＲＳリソース指示情報の示すＳＲＳリソースを含む第２受信ユニットを備えることを特徴とする請求項１６〜２２のいずれか１項に記載の端末装置。
【請求項２４】
前記端末装置は、更に、
前記ネットワーク装置に予め設定された電力制御パラメータを用いて、前記目標アップリンク信号の送信電力を決定するための第４決定ユニットを備えることを特徴とする請求項１６〜２３のいずれか１項に記載の端末装置。
【請求項２５】
前記第３決定ユニットは、具体的に、
前記第１電力制御パラメータ及び前記ネットワーク装置が前記目標アップリンク信号に予め設定した第２電力制御パラメータに基づき、前記目標アップリンク信号の送信電力を決定することに用いられることを特徴とする請求項１６〜２４のいずれか１項に記載の端末装置。
【請求項２６】
ネットワーク装置であって、
前記端末装置に目標アップリンク信号に対応するＳＲＳリソース指示情報を送信し、前記ＳＲＳリソース指示情報は前記端末装置が前記目標アップリンク信号の第１電力制御パラメータを決定することに用いられる第１送信ユニットと、
前記端末装置が前記第１電力制御パラメータに基づいて送信した前記目標アップリンク信号を受信するための受信ユニットと、を備えることを特徴とするネットワーク装置。
【請求項２７】
前記目標アップリンク信号は物理アップリンク共有チャネル（ＰＵＳＣＨ）、物理アップリンク制御チャネル（ＰＵＣＣＨ）、物理ランダムアクセスチャネル（ＰＲＡＣＨ）、位相追跡基準信号（ＰＴＲＳ）又はサウンディング基準信号（ＳＲＳ）であることを特徴とする請求項２６に記載のネットワーク装置。
【請求項２８】
前記目標アップリンク信号が物理アップリンク共有チャネル（ＰＵＳＣＨ）である場合、前記ＳＲＳリソース指示情報は前記ＰＵＳＣＨをスケジューリングするためのダウンリンク制御情報（ＤＣＩ）に含まれ、又は
前記目標アップリンク信号が物理ランダムアクセスチャネル（ＰＲＡＣＨ）である場合、前記ＳＲＳリソース指示情報はシステム情報又は上位レイヤシグナリングに含まれ、又は
前記目標アップリンク信号がサウンディング基準信号（ＳＲＳ）である場合、前記ＳＲＳリソース指示情報は上位レイヤシグナリング又はダウンリンク制御情報（ＤＣＩ）に含まれることを特徴とする請求項２６又は２７に記載のネットワーク装置。
【請求項２９】
前記目標アップリンク信号が物理アップリンク制御チャネル（ＰＵＣＣＨ）である場合、前記ＳＲＳリソース指示情報は前記ＰＵＣＣＨリソースを示すための上位レイヤシグナリングに含まれ、又は
前記目標アップリンク信号が物理アップリンク制御チャネル（ＰＵＣＣＨ）である場合、前記ＳＲＳリソース指示情報は前記端末装置の直近に受信した物理アップリンク共有チャネル（ＰＵＳＣＨ）をスケジューリングするためのダウンリンク制御情報（ＤＣＩ）に含まれ、又は
前記目標アップリンク信号が物理アップリンク制御チャネル（ＰＵＣＣＨ）である場合、前記ＳＲＳリソース指示情報は前記ＰＵＣＣＨの閉ループ電力調整値を示すための伝送電力制御（ＴＰＣ）命令を含むダウンリンク制御情報（ＤＣＩ）に含まれ、又は
前記目標アップリンク信号が物理アップリンク制御チャネル（ＰＵＣＣＨ）である場合、前記ＳＲＳリソース指示情報は無線リソース制御（ＲＲＣ）シグナリング又は媒体アクセス制御（ＭＡＣ）シグナリングに含まれることを特徴とする請求項２６又は２７に記載のネットワーク装置。
【請求項３０】
前記第１電力制御パラメータは前記送信電力を計算するための経路損失値、前記送信電力を計算するための経路損失値を測定するためのダウンリンク信号の情報、開ループ電力制御パラメータ及び閉ループ電力制御パラメータのうちの少なくとも１つを含むことを特徴とする請求項２６〜２９のいずれか１項に記載のネットワーク装置。
【国際調査報告】
2020529143.tif 000026
2020529143.tif 000027
2020529143.tif 000028
2020529143.tif 000029